(57)【特許請求の範囲】
【請求項１】
端末であって、
ネットワーク装置から送信されたダウンリンク信号を受信するように構成された受信ユニットと、
前記ダウンリンク信号に従って前記端末の第１のカバレッジ・レベルを決定し、前記第１のカバレッジ・レベルに従ってアップリンク通信パラメータを決定するように構成された処理ユニットと、
前記アップリンク通信パラメータに従ってアップリンク信号を前記ネットワーク装置に送信するように構成された送信ユニットと、
を備え、
前記ダウンリンク信号の種類は、サービス信号を含み、前記サービス信号は、ダウンリンク・データ信号、ダウンリンク音声信号、または、ダウンリンクビデオ信号である、端末。
【請求項２】
前記アップリンク通信パラメータは、反復回数、チャネル帯域幅、送信電力、または前記端末により前記アップリンク信号を送信するために使用される変調符号化方式のうち少なくとも１つを含む、請求項１に記載の端末。
【請求項３】
前記ダウンリンク信号は、ダウンリンク同期チャネル（ＳＣＨ）で送信された第１の信号、共通転送チャネル（ＣＣＨ）で使用される第２の信号、ブロードキャスト制御チャネル（ＢＣＣＨ）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む、請求項１または２に記載の端末。
【請求項４】
前記ダウンリンク信号が前記第１の信号、前記第２の信号、または前記第３の信号の何れか１つであるとき、前記処理ユニットは特に、前記ダウンリンク信号の復号化に成功したとき、第１の所定の関係および前記受信ユニットにより前記ダウンリンク信号を受信した回数に従って前記端末の前記第１のカバレッジ・レベルを決定するように構成され、前記第１の所定の関係は、前記端末が前記ダウンリンク信号の復号化に成功したときの、前記第１のカバレッジ・レベルと前記ダウンリンク信号を受信した前記回数との間のマッピング関係を含むか、または、
前記ダウンリンク信号がダウンリンク同期に使用される前記繰り返し送信されたシーケンス信号であるとき、前記処理ユニットは特に、前記ダウンリンク信号を受信した時点に
、エネルギ蓄積を前記受信ユニットにより受信された全てのダウンリンク信号に実施し、エネルギ蓄積の後に取得された信号を前記ダウンリンク信号の所定の基準信号と相関付けて、前記ダウンリンク信号の相関値を取得し、前記ダウンリンク信号の前記相関値が所定の閾値を超過したとき、第２の所定の関係および前記受信ユニットにより前記ダウンリンク信号を受信した回数に従って前記端末の前記第１のカバレッジ・レベルを決定するように構成され、前記第２の所定の関係は、前記ダウンリンク信号の前記相関値が前記所定の閾値を超過したとき前記第１のカバレッジ・レベルと前記端末により前記ダウンリンク信号を受信した前記回数との間のマッピング関係を含むか、または、
前記ダウンリンク信号が前記ＢＣＣＨキャリアで送信された前記信号であるとき、前記処理ユニットは特に、所定の期間に前記受信ユニットにより受信された前記ダウンリンク信号の受信信号強度を測定し、前記所定の期間に測定された前記ダウンリンク信号の前記受信信号強度に従って第１の受信信号強度を決定し、前記第１の受信信号強度および第３の所定の関係に従って前記端末の前記第１のカバレッジ・レベルを決定するように構成され、前記第３の所定の関係は、前記第１の受信信号強度と前記第１のカバレッジ・レベルの間のマッピング関係を含むか、または、
前記ダウンリンク信号がセル・チャネル測定に使用される前記基準信号であるとき、前記処理ユニットは特に、所定の期間に前記受信ユニットにより受信された前記ダウンリンク信号に従って前記端末と前記ネットワーク装置の間の経路損失を測定し、前記所定の期間に測定された全ての経路損失に従って前記端末と前記ネットワーク装置の間の第１の経路損失を決定し、前記第１の経路損失および第４の所定の関係に従って前記端末の前記第１のカバレッジ・レベルを決定するように構成され、前記第４の所定の関係は、前記第１の経路損失と前記第１のカバレッジ・レベルとの間のマッピング関係を含む、請求項３に記載の端末。
【請求項５】
ネットワーク装置であって、
ダウンリンク信号を端末に送信するように構成された送信ユニットと、
前記端末により決定されたアップリンク通信パラメータに従って前記端末により送信されたアップリンク信号を受信するように構成された受信ユニットであって、前記アップリンク通信パラメータは、第１のカバレッジ・レベルに従って前記端末によって決定され、前記第１のカバレッジ・レベルは、前記ダウンリンク信号に従って前記端末によって決定される、受信ユニットと、
を備え、
前記ダウンリンク信号の種類は、サービス信号を含み、前記サービス信号は、ダウンリンク・データ信号、ダウンリンク音声信号、または、ダウンリンクビデオ信号である、ネットワーク装置。
【請求項６】
前記アップリンク通信パラメータは、反復回数、チャネル帯域幅、送信電力、または前記端末により前記アップリンク信号を送信するために使用される変調符号化方式のうち少なくとも１つを含む、請求項５に記載のネットワーク装置。
【請求項７】
前記ダウンリンク信号は、ダウンリンク同期チャネル（ＳＣＨ）で送信された第１の信号、共通転送チャネル（ＣＣＨ）で送信された第２の信号、ブロードキャスト制御チャネル（ＢＣＣＨ）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む、請求項５または６に記載のネットワーク装置。
【請求項８】
前記受信ユニットはさらに、前記送信ユニットが前記ダウンリンク信号を前記端末に送信した後に、前記端末により送信された前記第１のカバレッジ・レベルを受信するように構成される、請求項５乃至７の何れか１項に記載のネットワーク装置。
【請求項９】
無線ネットワーク・カバレッジ拡張方法であって、
端末により、ネットワーク装置により送信されたダウンリンク信号を受信するステップ
と、
前記端末により、前記ダウンリンク信号に従って前記端末の第１のカバレッジ・レベルを決定するステップと、
前記端末により、前記第１のカバレッジ・レベルに従ってアップリンク通信パラメータを決定するステップと、
前記端末により、前記アップリンク通信パラメータに従ってアップリンク信号を前記ネットワーク装置に送信するステップと、
を含み、
前記ダウンリンク信号の種類は、サービス信号を含み、前記サービス信号は、ダウンリンク・データ信号、ダウンリンク音声信号、または、ダウンリンクビデオ信号である、方法。
【請求項１０】
前記アップリンク通信パラメータは、反復回数、チャネル帯域幅、送信電力、または前記端末により前記アップリンク信号を送信するために使用される変調符号化方式のうち少なくとも１つを含む、請求項９に記載の方法。
【請求項１１】
前記ダウンリンク信号は、ダウンリンク同期チャネル（ＳＣＨ）で送信された第１の信号、共通転送チャネル（ＣＣＨ）で使用される第２の信号、ブロードキャスト制御チャネル（ＢＣＣＨ）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む、請求項９または１０に記載の方法。
【請求項１２】
前記ダウンリンク信号が前記第１の信号、前記第２の信号、または前記第３の信号の何れか１つであるとき、前記端末により、前記ダウンリンク信号に従って前記端末の第１のカバレッジ・レベルを決定するステップは、
前記ダウンリンク信号の復号化に成功したとき、前記端末により、第１の所定の関係および前記ダウンリンク信号を受信した回数に従って前記端末の前記第１のカバレッジ・レベルを決定するステップを含み、
前記第１の所定の関係は、前記端末が前記ダウンリンク信号の復号化に成功したときの、前記第１のカバレッジ・レベルと前記ダウンリンク信号を受信した前記回数との間のマッピング関係を含む、
請求項１１に記載の方法。
【請求項１３】
無線ネットワーク・カバレッジ拡張方法であって、
ネットワーク装置により、ダウンリンク信号を端末に送信するステップと、
前記ネットワーク装置により、アップリンク通信パラメータに従って前記端末により送信されたアップリンク信号を受信するステップであって、前記アップリンク通信パラメータは、第１のカバレッジ・レベルに従って前記端末によって決定され、前記第１のカバレッジ・レベルは、前記ダウンリンク信号に従って前記端末によって決定される、ステップと、
を含み、
前記ダウンリンク信号の種類は、サービス信号を含み、前記サービス信号は、ダウンリンク・データ信号、ダウンリンク音声信号、または、ダウンリンクビデオ信号である、方法。
【請求項１４】
前記アップリンク通信パラメータは、反復回数、チャネル帯域幅、送信電力、または前記端末により前記アップリンク信号を送信するために使用される変調符号化方式のうち少なくとも１つを含む、請求項１３に記載の方法。
【請求項１５】
前記ダウンリンク信号は、ダウンリンク同期チャネル（ＳＣＨ）で送信された第１の信号、共通転送チャネル（ＣＣＨ）で使用される第２の信号、ブロードキャスト制御チャネル（ＢＣＣＨ）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む、請求項１３または１４に記載の方法。
【請求項１６】
請求項１乃至４の何れか１項に記載の端末および請求項５乃至８の何れか１項に記載の
ネットワーク装置を備えた、無線ネットワーク・カバレッジ拡張システム。
【発明の詳細な説明】
【技術分野】
【０００１】
本発明は通信技術に関し、特に、無線ネットワーク・カバレッジ拡張方法、装置、およびシステムに関する。
【背景技術】
【０００２】
グローバル・システム・フォー・モバイル・コミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、以降ＧＳＭ（登録商標）と称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、以降ＵＭＴＳと称する）、またはロング・ターム・エボリューション（Ｌｏｎｇ  Ｔｅｒｍ  Ｅｖｏｌｕｔｉｏｎ、以降ＬＴＥと称する）システムのような既存の無線通信ネットワークは主にヒューマン・ツー・ヒューマン（Ｈｕｍａｎ  ｔｏ  Ｈｕｍａｎ、以降Ｈ２Ｈと称する）通信に固有であり、主に屋外シナリオまたは共通屋内シナリオのような無線環境を考慮する。現在、第三世代パートナシップ・プロジェクト（３ｒｄ  Ｇｅｎｅｒａｔｉｏｎ  Ｐａｒｔｎｅｒｓｈｉｐ  Ｐｒｏｊｅｃｔ、以降３ＧＰＰと称する）標準はすでに、無線ネットワークを用いてマシン・ツー・−マシン（Ｍａｃｈｉｎｅ  ｔｏ  Ｍａｃｈｉｎｅ、以降Ｍ２Ｍと称する）通信、即ち、マシンタイプ通信（Ｍａｃｈｉｎｅ  Ｔｙｐｅ  Ｃｏｍｍｕｎｉｃａｔｉｏｎ、以降ＭＴＣと称する）をサポートすることを考え始めている。Ｍ２Ｍ通信に適用される幾つかの端末装置は地下、トンネル、谷、および森のような無人エリアに配置されるので、これらの場所における信号カバレッジは比較的貧弱である。これらのエリアに配置された端末装置がネットワーク装置と正しく通信できるために、これらのエリアに配置された端末装置に対する無線ネットワークのカバレッジ性能を強化する必要がある。
【０００３】
先行技術では、ハイブリッド自動再送要求（Ｈｙｂｒｉｄ  Ａｕｔｏｍａｔｉｃ  Ｒｅｐｅａｔ  Ｒｅｑｕｅｓｔ、以降ＨＡＲＱと称する）機構または自動再送要求（Ａｕｔｏｍａｔｉｃ  Ｒｅｐｅａｔ−Ｒｅｑｕｅｓｔ、以降ＡＲＱと称する）機構が短期カバレッジまたは比較的貧弱なカバレッジ性能を有する無線ネットワークに使用されうる。特に、データが最初に送信されるとき、受信側（例えば、基地局）がデータを正しく受信しない場合、受信側は、否定応答（Ｎａｃｋｎｏｗｌｅｄｇｅ、以降ＮＡＣＫと称する）を用いることによって、データが正しく受信されないというメッセージを送信側（例えば、端末）に通知し、送信側が、正しく受信されなかったデータを再送する（データ再送と呼ばれる）。受信側は、再送されたデータおよび以前送信されたデータにソフト結合を実施して、当該データを正確に受信する可能性を高め、ネットワークのカバレッジ性能をある程度高める。
【０００４】
しかし、先行技術では、カバレッジ拡張に使用される自動再送機構は、媒体アクセス制御（Ｍｅｄｉａ  Ａｃｃｅｓｓ  Ｃｏｎｔｒｏｌ、以降ＭＡＣと称する）レイヤに基づく送信機構および／または無線リンク制御（Ｒａｄｉｏ  Ｌｉｎｋ  Ｃｏｎｔｒｏｌ、以降ＲＬＣと称する）レイヤに基づく送信機構である。送信側は、自動再送機構を実施する際に協調するために、受信側の応答（Ａｃｋｎｏｗｌｅｄｇｅ、以降ＡＣＫと称する）／ＮＡＣＫフィードバック応答機構を必要とする。比較的弱い信号カバレッジを有する場所に対して、受信側は、送信側により実施される複数の再送をトリガするためにＮＡＣＫメッセージで複数回応答して、受信側により実施される受信の成功の可能性を高める必要がある。その結果、エア・インタフェースの対話が頻繁であり、シグナリング・オーバヘッドが大きい。さらに、送信側は、送信側が配置されたカバレッジ環境の変化に従ってカバレッジ拡張を効果的にタイムリに調整できず、カバレッジ拡張の実行効率は低い。
【発明の概要】
【課題を解決するための手段】
【０００５】
本発明の諸実施形態では、カバレッジ拡張の実行効率が低く、エア・インタフェース・シグナリング・オーバヘッドが大きいという先行技術の技術的課題を解決するための、無線ネットワーク・カバレッジ拡張方法、装置、およびシステムを提供する。
【０００６】
第１の態様によれば、本発明の１実施形態では、ネットワーク装置により送信されたダウンリンク信号を受信するように構成された受信ユニットと、
当該ダウンリンク信号に従って端末の第１のカバレッジ・レベルを決定し、第１のカバレッジ・レベルに従ってアップリンク通信パラメータを決定するように構成された処理ユニットと、
当該アップリンク通信パラメータに従ってアップリンク信号をネットワーク装置に送信するように構成された送信ユニットと
を備えた端末を提供する。
【０００７】
第１の態様によれば、第１の態様の第１の可能な実装方式では、当該アップリンク通信パラメータは、反復回数、チャネル帯域幅、送信電力、または端末により当該アップリンク信号を送信するために使用される変調符号化方式のうち少なくとも１つを含む。
【０００８】
第１の態様または第１の態様の第１の可能な実装方式を参照して、第１の態様の第２の可能な実装方式では、当該ダウンリンク信号はダウンリンク同期チャネルＳＣＨで送信された第１の信号、共通転送チャネルＣＣＨで使用される第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【０００９】
第１の態様の第２の可能な実装方式を参照して、第１の態様の第３の可能な実装方式では、当該ダウンリンク信号が第１の信号、第２の信号、または第３の信号の何れか１つであるとき、当該処理ユニットは特に、当該ダウンリンク信号の復号化に成功したとき、第１の所定の関係および当該受信ユニットにより当該ダウンリンク信号を受信した回数に従って端末の第１のカバレッジ・レベルを決定するように構成され、第１の所定の関係は、第１のカバレッジ・レベルと端末が当該ダウンリンク信号の復号化に成功したときの当該ダウンリンク信号を受信した回数との間のマッピング関係を含む。
【００１０】
第１の態様の第２の可能な実装方式を参照して、第１の態様の第４の可能な実装方式では、当該ダウンリンク信号がダウンリンク同期に使用される繰り返し送信されたシーケンス信号であるとき、当該処理ユニットは特に、当該ダウンリンク信号を受信した時点に、エネルギ蓄積を当該受信ユニットにより受信された全てのダウンリンク信号に実施し、エネルギ蓄積の後に取得された信号を当該ダウンリンク信号の所定の基準信号と相関付けて、当該ダウンリンク信号の相関値を取得し、当該ダウンリンク信号の相関値が所定の閾値を超過したとき、第２の所定の関係および当該受信ユニットにより当該ダウンリンク信号を受信した回数に従って端末の第１のカバレッジ・レベルを決定するように構成される。第２の所定の関係は、第１のカバレッジ・レベルと当該ダウンリンク信号の相関値が当該所定の閾値を超過したときの端末により当該ダウンリンク信号を受信した回数との間のマッピング関係を含む。
【００１１】
第１の態様の第２の可能な実装方式を参照して、第１の態様の第５の可能な実装方式では、当該ダウンリンク信号がＢＣＣＨキャリアで送信された信号であるとき、当該処理ユニットは特に、所定の期間に当該受信ユニットにより受信されたダウンリンク信号の受信信号強度を測定し、当該所定の期間に測定された当該ダウンリンク信号の受信信号強度に従って第１の受信信号強度を決定し、第１の受信信号強度および第３の所定の関係に従って端末の第１のカバレッジ・レベルを決定するように構成される。第３の所定の関係は、第１の受信信号強度と第１のカバレッジ・レベルの間のマッピング関係を含む。
【００１２】
第１の態様の第２の可能な実装方式を参照して、第１の態様の第６の可能な実装方式では、当該ダウンリンク信号がセル・チャネル測定に使用される基準信号であるとき、当該処理ユニットは特に、所定の期間に当該受信ユニットにより受信されたダウンリンク信号に従って端末とネットワーク装置の間の経路損失を測定し、当該所定の期間に測定された全ての経路損失に従って端末とネットワーク装置の間の第１の経路損失を決定し、第１の経路損失および第４の所定の関係に従って端末の第１のカバレッジ・レベルを決定するように構成される。第４の所定の関係は、第１の経路損失と第１のカバレッジ・レベルとの間のマッピング関係を含む。
【００１３】
第１の態様乃至第１の態様の第６の可能な実装方式の何れか１つを参照して、第１の態様の第７の可能な実装方式では、当該送信ユニットはさらに、第１のカバレッジ・レベルをネットワーク装置に送信するように構成される。
【００１４】
第１の態様の第７の可能な実装方式を参照して、第１の態様の第８の可能な実装方式では、当該処理ユニットはさらに、ネットワーク装置へのサービス接続を確立するように構成され、
当該受信ユニットはさらに、ネットワーク装置により繰り返し送信されたサービス信号を受信するように構成され、当該サービス信号の反復回数は、端末の第１のカバレッジ・レベルに従ってネットワーク装置によって決定され、
当該処理ユニットはさらに、第５の所定の関係および当該サービス信号の復号化に成功したときに当該サービス信号を受信した回数に従って、端末の第２のカバレッジ・レベルを決定するように構成される。第５の所定の関係は、第２のカバレッジ・レベルと端末が当該サービス信号の復号化に成功したときの当該サービス信号を受信した回数との間のマッピング関係を含む。
【００１５】
第２の態様によれば、本発明の１実施形態では、
ダウンリンク信号を端末に送信するように構成された送信ユニットと、
端末により決定されたアップリンク通信パラメータに従って端末により送信されたアップリンク信号を受信するように構成された受信ユニットであって、当該アップリンク通信パラメータは、第１のカバレッジ・レベルに従って端末によって決定され、第１のカバレッジ・レベルは、当該ダウンリンク信号に従って端末によって決定される、受信ユニットと
を備えたネットワーク装置を提供する。
【００１６】
第２の態様を参照して、第２の態様の第１の可能な実装方式では、当該アップリンク通信パラメータは、反復回数、チャネル帯域幅、送信電力、または端末により当該アップリンク信号を送信するために使用される変調符号化方式のうち少なくとも１つを含む。
【００１７】
第２の態様または第２の態様の第１の可能な実装方式を参照して、第２の態様の第２の可能な実装方式では、当該ダウンリンク信号はダウンリンク同期チャネルＳＣＨで送信された第１の信号、共通転送チャネルＣＣＨで送信された第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【００１８】
第２の態様乃至第２の態様の第２の可能な実装方式の何れか１つを参照して、第２の態様の第３の可能な実装方式では、当該受信ユニットはさらに、当該送信ユニットが当該ダウンリンク信号を端末に送信した後に、端末により送信された第１のカバレッジ・レベルを受信するように構成される。
【００１９】
第２の態様の第３の可能な実装方式を参照して、第２の態様の第４の可能な実装方式では、ネットワーク装置はさらに、処理ユニットを備える。
当該処理ユニットは、当該受信ユニットが、端末により送信された第１のカバレッジ・レベルを受信した後に、端末へのサービス接続を確立するように構成され、
当該送信ユニットはさらに、第１のカバレッジ・レベルに従ってサービス信号を端末に繰り返し送信して、端末が、当該繰り返し送信されたサービス信号に従って端末の第２のカバレッジ・レベルを決定するようにするように構成されるか、または、
当該処理ユニットは、当該受信ユニットが、端末により送信された第１のカバレッジ・レベルを受信した後に、第１のカバレッジ・レベルに従ってリソース・スケジューリングを端末に実施するように構成される。
【００２０】
第２の態様の第２の可能な実装方式を参照して、第２の態様の第５の可能な実装方式では、当該アップリンク通信パラメータが、反復回数、チャネル帯域幅、または端末により当該アップリンク信号を送信するために使用される変調符号化方式を含むとき、当該受信ユニットはさらに、端末により送信されたアップリンク通信パラメータを受信するように構成され、当該処理ユニットはさらに当該アップリンク通信パラメータに従って当該アップリンク信号を復号化するように構成される。
【００２１】
第３の態様によれば、本発明では、
端末により、ネットワーク装置により送信されたダウンリンク信号を受信するステップと、
端末により、当該ダウンリンク信号に従って端末の第１のカバレッジ・レベルを決定するステップと、
端末により、第１のカバレッジ・レベルに従ってアップリンク通信パラメータを決定するステップと、
端末により、当該アップリンク通信パラメータに従ってアップリンク信号をネットワーク装置に送信するステップと、
を含む無線ネットワーク・カバレッジ拡張方法を提供する。
【００２２】
第３の態様を参照して、第３の態様の第１の可能な実装方式では、当該アップリンク通信パラメータは、反復回数、チャネル帯域幅、送信電力、または端末により当該アップリンク信号を送信するために使用される変調符号化方式のうち少なくとも１つを含む。
【００２３】
第３の態様または第３の態様の第１の可能な実装方式を参照して、第３の態様の第２の可能な実装方式では、当該ダウンリンク信号はダウンリンク同期チャネルＳＣＨで送信された第１の信号、共通転送チャネルＣＣＨで使用される第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【００２４】
第３の態様の第２の可能な実装方式を参照して、第３の態様の第３の可能な実装方式では、当該ダウンリンク信号が第１の信号、第２の信号、または第３の信号の何れか１つであるとき、端末により、当該ダウンリンク信号に従って端末の第１のカバレッジ・レベルを決定するステップは、当該ダウンリンク信号の復号化に成功したとき、端末により、第１の所定の関係および当該ダウンリンク信号を受信した回数に従って端末の第１のカバレッジ・レベルを決定するステップを含む。第１の所定の関係は、第１のカバレッジ・レベルと端末が当該ダウンリンク信号の復号化に成功したときの当該ダウンリンク信号を受信した回数との間のマッピング関係を含む。
【００２５】
第３の態様の第２の可能な実装方式を参照して、第３の態様の第４の可能な実装方式では、当該ダウンリンク信号がダウンリンク同期に使用される繰り返し送信されたシーケンス信号であるとき、端末により、当該ダウンリンク信号に従って端末の第１のカバレッジ・レベルを決定するステップは、
当該ダウンリンク信号を受信した時点に端末により、エネルギ蓄積を全ての受信されたダウンリンク信号に実施するステップと、
端末により、エネルギ蓄積の後に取得された信号を当該ダウンリンク信号の所定の基準信号に相関付けて、当該ダウンリンク信号の相関値を取得するステップと、
当該ダウンリンク信号の相関値が所定の閾値を超過したとき、端末により、第２の所定の関係および当該ダウンリンク信号を受信した回数に従って端末の第１のカバレッジ・レベルを決定するステップと、
を含み、
第２の所定の関係は、第１のカバレッジ・レベルと当該ダウンリンク信号の相関値が当該所定の閾値を超過したときの端末により当該ダウンリンク信号を受信した回数との間のマッピング関係を含む。
【００２６】
第３の態様の第２の可能な実装方式を参照して第３の態様の第５の可能な実装方式では、当該ダウンリンク信号が当該ＢＣＣＨキャリアで送信された信号であるとき、端末により、当該ダウンリンク信号に従って端末の第１のカバレッジ・レベルを決定するステップは、
端末により、所定の期間に受信したダウンリンク信号の受信信号強度を測定するステップと、
端末により、当該所定の期間に測定された当該ダウンリンク信号の受信信号強度に従って第１の受信信号強度を決定するステップと、
端末により、第１の受信信号強度および第３の所定の関係に従って端末の第１のカバレッジ・レベルを決定するステップであって、第３の所定の関係は、第１の受信信号強度と第１のカバレッジ・レベルの間のマッピング関係を含む、ステップと、
を含む。
【００２７】
第３の態様の第２の可能な実装方式を参照して、第３の態様の第６の可能な実装方式では、当該ダウンリンク信号がセル・チャネル測定に使用される基準信号であるとき、端末により、当該ダウンリンク信号に従って端末の第１のカバレッジ・レベルを決定するステップは、
端末により、所定の期間に受信されたダウンリンク信号に従って、端末とネットワーク装置の間の経路損失を測定するステップと、
端末により、当該所定の期間に測定された全ての経路損失に従って端末とネットワーク装置の間の第１の経路損失を決定するステップと、
端末により、第１の経路損失および第４の所定の関係に従って端末の第１のカバレッジ・レベルを決定するステップと、
を含み、
第４の所定の関係は、第１の経路損失と第１のカバレッジ・レベルとの間のマッピング関係を含む。
【００２８】
第３の態様乃至第３の態様の第６の可能な実装方式の何れか１つを参照して、第３の態様の第７の可能な実装方式では、当該方法はさらに、端末により、第１のカバレッジ・レベルをネットワーク装置に送信するステップを含む。
【００２９】
第３の態様の第７の可能な実装方式を参照して、第３の態様の第８の可能な実装方式では、端末により、第１のカバレッジ・レベルをネットワーク装置に送信した後に、当該方法はさらに、
端末により、ネットワーク装置へのサービス接続を確立するステップと、
端末により、ネットワーク装置により繰り返し送信されたサービス信号を受信するステップであって、当該サービス信号の反復回数は、端末の第１のカバレッジ・レベルに従ってネットワーク装置によって決定される、ステップと、
端末により、第５の所定の関係および当該サービス信号の復号化に成功したときに当該サービス信号を受信した回数に従って、端末の第２のカバレッジ・レベルを決定するステップであって、第５の所定の関係は、第２のカバレッジ・レベルと端末が当該サービス信号の復号化に成功したときの当該サービス信号を受信した回数との間のマッピング関係を含む、ステップと
を含む。
【００３０】
第４の態様によれば、本発明の１実施形態では、
ネットワーク装置により、ダウンリンク信号を端末に送信するステップと、
ネットワーク装置により、アップリンク通信パラメータに従って端末により送信されたアップリンク信号を受信するステップであって、当該アップリンク通信パラメータは、第１のカバレッジ・レベルに従って端末によって決定され、第１のカバレッジ・レベルは、当該ダウンリンク信号に従って端末によって決定される、ステップと、
を含む無線ネットワーク・カバレッジ拡張方法を提供する。
【００３１】
第４の態様を参照して、第４の態様の第１の可能な実装方式では、当該アップリンク通信パラメータは、反復回数、チャネル帯域幅、送信電力、または端末により当該アップリンク信号を送信するために使用される変調符号化方式のうち少なくとも１つを含む。
【００３２】
第４の態様または第４の態様の第１の可能な実装方式を参照して、第４の態様の第２の可能な実装方式では、当該ダウンリンク信号はダウンリンク同期チャネルＳＣＨで送信された第１の信号、共通転送チャネルＣＣＨで使用される第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【００３３】
第４の態様乃至第４の態様の第２の可能な実装方式の何れか１つを参照して、第４の態様の第３の可能な実装方式では、ネットワーク装置により、ダウンリンク信号を端末に送信するステップの後に、当該方法はさらに、ネットワーク装置により、端末により送信された第１のカバレッジ・レベルを受信するステップを含む。
【００３４】
第４の態様の第３の可能な実装方式を参照して、第４の態様の第４の可能な実装方式では、ネットワーク装置により、端末により送信された第１のカバレッジ・レベルを受信した後、当該方法はさらに、
ネットワーク装置により、端末へのサービス接続を確立し、第１のカバレッジ・レベルに従ってサービス信号を端末に繰り返し送信して、端末が、当該繰り返し送信されたサービス信号に従って端末の第２のカバレッジ・レベルを決定するようにするステップ、または、
ネットワーク装置により、第１のカバレッジ・レベルに従ってリソース・スケジューリングを端末に実施するステップ
を含む。
【００３５】
第４の態様の第２の可能な実装方式を参照して、第４の態様の第５の可能な実装方式では、当該アップリンク通信パラメータが、反復回数、チャネル帯域幅、または当該アップリンク信号を送信するために使用される変調符号化方式を含むとき、当該方法はさらに、
ネットワーク装置により、端末により送信されたアップリンク通信パラメータを受信し、当該アップリンク通信パラメータに従って当該アップリンク信号を復号化するステップ
を含む。
【００３６】
第５の態様によれば、本発明の１実施形態では、第１の態様乃至第１の態様の第８の可能な実装方式の何れか１つに従う端末および第２の態様乃至第２の態様の第５の可能な実装方式の何れか１つに従うネットワーク装置を備えた無線ネットワーク・カバレッジ拡張システムを提供する。
【００３７】
本発明の当該実施形態では、無線ネットワーク・カバレッジ拡張方法、装置、およびシステムを提供する。端末は、ネットワーク装置により送信された受信したダウンリンク信号に従って端末の第１のカバレッジ・レベルを決定し、第１のカバレッジ・レベルに従ってアップリンク通信パラメータを決定し、当該アップリンク通信パラメータを用いることによって、アップリンク信号をネットワーク装置に送信し、無線ネットワークのカバレッジ拡張を実装し、当該アップリンク信号の受信に成功する可能性を高める。したがって、ネットワーク装置はＮＡＣＫを端末に送信する必要がなく、その結果、端末とネットワーク装置の間のエア・インタフェースのオーバヘッドが減り、端末がカバレッジ拡張を実施する期間が短縮され、端末の電力消費が減る。さらに、本発明の当該実施形態で提供した方法を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００３８】
本発明の当該実施形態または先行技術における技術的解決策をより明確に説明するために、以下では、当該実施形態または先行技術を説明するのに必要な添付図面を簡単に説明する。明らかに、以下の説明における添付図面は本発明の幾つかの実施形態を示すにすぎず、当業者は依然として創造的努力なしにこれらの添付図面から他の図面を導出することができる。
【図面の簡単な説明】
【００３９】
【図１】本発明に従う端末の第１の実施形態の略構造図である。
【図２】本発明に従う既存の無線ネットワーク・カバレッジの略図である。
【図３】本発明に従うネットワーク装置の第１の実施形態の略構造図である。
【図４】本発明に従うネットワーク装置の第２の実施形態の略構造図である。
【図５】本発明に従う端末の第２の実施形態の略構造図である。
【図６】本発明に従うネットワーク装置の第３の実施形態の略構造図である。
【図７】本発明に従うネットワーク装置の第４の実施形態の略構造図である。
【図８】本発明に従う無線ネットワーク・カバレッジ拡張システムの１実施形態の略構造図である。
【図９】本発明に従う無線ネットワーク・カバレッジ拡張方法の第１の実施形態の略流れ図である。
【図１０】本発明に従う無線ネットワーク・カバレッジ拡張方法の第２の実施形態の略流れ図である。
【図１１】本発明に従う無線ネットワーク・カバレッジ拡張方法の第３の実施形態の略流れ図である。
【図１２】本発明に従う無線ネットワーク・カバレッジ拡張方法の第４の実施形態の略流れ図である。
【図１３】本発明に従う無線ネットワーク・カバレッジ拡張方法の第５の実施形態の略流れ図である。
【図１４】本発明に従う無線ネットワーク・カバレッジ拡張方法の第６の実施形態の略流れ図である。
【図１５】本発明に従う無線ネットワーク・カバレッジ拡張方法の第７の実施形態の略流れ図である。
【発明を実施するための形態】
【００４０】
本発明の当該実施形態の目的、技術的解決策、および利点をより明確にするために、以下では本発明の当該実施形態の添付図面を参照して本発明の当該実施形態における技術的解決策を明確かつ十分に説明する。明らかに、当該説明した実施形態は本発明の当該実施形態の一部であって全部ではない。当業者が創造的努力なしに本発明の当該実施形態に基づいて取得する他の全ての実施形態は本発明の保護範囲に入るものとする。
【００４１】
本発明の実施形態に含まれる端末、即ち、ユーザ機器が無線端末であってもよい。当該無線端末を、ユーザに音声および／またはデータ接続性を提供するデバイス、無線接続機能を有するハンドヘルド・デバイス、または無線モデムに接続された別の処理デバイスと称してもよい。当該無線端末が、（ＲＡＮ、Ｒａｄｉｏ  Ａｃｃｅｓｓ  Ｎｅｔｗｏｒｋのような）無線アクセス・ネットワークを通じて１つまたは複数のコア・ネットワークと通信してもよい。当該無線端末が、モバイル電話（「セルラ」電話と称してもよい）のようなモバイル端末およびモバイル端末を有するコンピュータであってもよく、例えば、音声および／またはデータを無線アクセス・ネットワークと交換するポータブル、ポケットサイズ、ハンドヘルド、コンピュータ組込み型、または車内モバイル装置であってもよい。例えば、当該無線端末が、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話セット、セッション開始プロトコル（ＳＩＰ）電話、無線ローカル・ループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）のようなデバイスであってもよい。当該無線端末をまた、システム、サブスクライバユニット（Ｓｕｂｓｃｒｉｂｅｒ  Ｕｎｉｔ）、サブスクライバ局（Ｓｕｂｓｃｒｉｂｅｒ  Ｓｔａｔｉｏｎ）、モバイル局（Ｍｏｂｉｌｅ  Ｓｔａｔｉｏｎ）、モバイル局（Ｍｏｂｉｌｅ）、リモート局（Ｒｅｍｏｔｅ  Ｓｔａｔｉｏｎ）、アクセス・ポイント（Ａｃｃｅｓｓ  Ｐｏｉｎｔ）、リモート端末（Ｒｅｍｏｔｅ  Ｓｔａｔｉｏｎ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ）、またはユーザ機器（Ｕｓｅｒ  Ｅｑｕｉｐｍｅｎｔ）と称してもよい。
【００４２】
本願で関与するネットワーク装置が基地局であってもよいかまたはアクセス・ポイントであってもよい。当該基地局が、アクセス・ネットワーク内にあり、エア・インタフェース上で、１つまたは複数のセクタを用いることによって当該無線端末と通信するデバイスを指してもよい。当該基地局が、受信したオーバー・ジ・エアフレームおよびＩＰパケットを相互に変換し、当該無線端末および当該アクセス・ネットワークの残りの部分の間のルータの役割を果たすように構成されてもよい。当該アクセス・ネットワークの残りの部分がインターネット・プロトコル（ＩＰ）ネットワークを含んでもよい。当該基地局がさらに、当該エア・インタフェースの属性管理を調整してもよい。例えば、当該基地局がＧＳＭ（登録商標）またはＣＤＭＡにおける基地送受信器局（ＢＴＳ、Ｂａｓｅ  Ｔｒａｎｓｃｅｉｖｅｒ  Ｓｔａｔｉｏｎ）であってもよいか、またはＷＣＤＭＡ（登録商標）におけるＮｏｄｅＢ（ＮｏｄｅＢ）であってもよいか、またはＬＴＥにおける発展型ＮｏｄｅＢ（ＮｏｄｅＢ、ｅＮＢ、またはｅ−ＮｏｄｅＢ、ｅｖｏｌｖｅｄ  Ｎｏｄｅ  Ｂ）であってもよい。これは本願では限定されない。
【００４３】
図１は、本発明に従う端末の第１の実施形態の略構造図である。図１に示すように、端末は、受信ユニット１０、処理ユニット１１、および送信ユニット１２を備える。
【００４４】
受信ユニット１０は、ネットワーク装置により送信されたダウンリンク信号を受信するように構成される。処理ユニット１１は、当該ダウンリンク信号に従って端末の第１のカバレッジ・レベルを決定し、第１のカバレッジ・レベルに従ってアップリンク通信パラメータを決定するように構成される。送信ユニット１２は、処理ユニット１１により決定されたアップリンク通信パラメータに従ってアップリンク信号をネットワーク装置に送信するように構成される。
【００４５】
特に、ネットワーク装置は当該ダウンリンク信号を端末に送信する。当該ダウンリンク信号が、ネットワーク装置により配送された任意の信号、例えば、ブロードキャスト信号、共通制御信号、またはサービス信号であってもよい。ネットワーク装置により送信されたダウンリンク信号を受信した後、受信ユニット１０が、当該ダウンリンク信号を処理ユニット１１に送信する。処理ユニット１１は、当該ダウンリンク信号に従って端末の第１のカバレッジ・レベルを決定する。任意選択で、処理ユニット１１が、或る期間に送信されたダウンリンク信号を測定または復号化することによって端末の第１のカバレッジ・レベルを決定してもよい。
【００４６】
第１のカバレッジ・レベルを、端末により使用して、現在のカバレッジ性能に対するカバレッジ性能において増大する必要がある値を決定することに留意すべきである。例えば、端末のカバレッジ・レベルが特に、３つのレベル、即ち、それぞれカバレッジ・レベル０、カバレッジ・レベル１、およびカバレッジ・レベル２を含むと仮定する。カバレッジ・レベル０に対応する端末のカバレッジ性能を０ｄＢだけ増大する必要がある（即ち、拡張の必要はない）、カバレッジ・レベル１に対応する端末のカバレッジ性能を０−１０ｄＢだけ増大する必要があり、カバレッジ・レベル２に対応するカバレッジ性能を１０−２０ｄＢだけ増大する必要がある。カバレッジ性能拡張およびシステム設計の複雑度を考慮すると、カバレッジ性能において増大する必要がある最大値のみが端末のカバレッジ性能拡張のターゲットとして考慮される。即ち、端末の第１のカバレッジ・レベルがカバレッジ・レベル１であると判定したとき、処理ユニット１１は、第１のカバレッジ・レベルに従って当該アップリンク通信パラメータを決定し、送信ユニット１２は、処理ユニット１１により決定されたアップリンク通信パラメータに従って当該アップリンク信号をネットワーク装置に送信する。したがって、端末のカバレッジ性能を１０ｄＢだけ増大させてもよい。当該アップリンク通信パラメータが端末により当該アップリンク信号をネットワーク装置に送信する反復回数であってもよいか、または、端末により当該アップリンク信号をネットワーク装置に送信するための送信電力であってもよいか、または、端末が当該アップリンク信号をネットワーク装置に送信するときに使用されるチャネル帯域幅であってもよいか、または、端末が当該アップリンク信号をネットワーク装置に送信するときに使用される変調符号化方式であってもよい、等である。当該パラメータがカバレッジ性能に関連するならば、当該アップリンク通信パラメータは本発明の当該実施形態では限定されない。任意選択で、上で例示した例に従って、処理ユニット１１が、端末の第１のカバレッジ・レベルがカバレッジ・レベル１であると判定したとき、処理ユニット１１が、当該決定されたアップリンク通信パラメータを用いることによって当該カバレッジ性能を１０ｄＢだけ増大させてもよい。
【００４７】
任意選択で、最大結合損失（Ｍａｘｉｍｕｍ  Ｃｏｕｐｌｉｎｇ  Ｌｏｓｓ、以降ＭＣＬと称する）値を使用して、無線ネットワークのカバレッジ性能を表してもよい。図２を参照すると、ＭＣＬ０は既存のネットワークのカバレッジ性能を表し、ＭＣＬ２は到達する必要がある当該ネットワークのターゲット・カバレッジ性能を表す。２０ｄＢの増大を１例として使用する。ネットワーク全体のＭＣＬはサービスエリア内の最も貧弱なカバレッジ性能を有する端末に固有であり、端末はまた、（図２の端末Ｄのような）エッジ・ユーザと称される。しかし、当該サービスエリア内の（図２の端末Ａ、Ｂ、およびＣのような）の非エッジ・ユーザの結合損失（Ｃｏｕｐｌｉｎｇ  Ｌｏｓｓ、以降ＣＬと称する）値が互いに異なるので、異なる端末のＣＬ値を使用して、端末のカバレッジ性能を表してもよい。例えば、上述の図２において、端末ＡのＣＬがＭＣＬ０より小さいとき、端末Ａのカバレッジ性能は比較的良好である。したがって、カバレッジ拡張なしに、既存のネットワークはまた端末Ａにサービス提供することができる。端末ＢのＣＬがＭＣＬ０より大きくＭＣＬ１より小さいとき、カバレッジ拡張なしに、当該既存のネットワークは端末Ｂにサービス提供することはできない。端末ＣのＣＬがＭＣＬ１より大きくＭＣＬ２より小さいとき、カバレッジ拡張なしに、当該既存のネットワークは端末Ｃにサービス提供することはできない。当該ネットワークはＣＬがＭＣＬ２より大きい端末にサービス提供することはできない。
【００４８】
先行技術では、無線ネットワークのカバレッジ性能は一般にＨＡＲＱまたはＡＲＱ再送機構を用いることによって高められ、当該ＨＡＲＱまたは当該ＡＲＱはＭＡＣレイヤに基づく送信機構および／またはＲＬＣレイヤに基づく送信機構である。端末は、当該ＨＡＲＱまたはＡＲＱ再送機構の実施において協調して、端末により実施される受信の成功可能性を高めるためのネットワーク装置のＡＣＫ／ＮＡＣＫ応答機構が必要である。当該方法では、エア・インタフェースの対話が頻繁であり、シグナリング・オーバヘッドが大きく、カバレッジ拡張の実行期間は相対的に長く、端末の電力消費は大きい。さらに、通信手続きのリソース、遅延、および複雑度のような因子を考慮して再送の回数は一般に大きな値に設定されないので、無線ネットワークのカバレッジ拡張幅は制限される。さらに、端末は端末が配置されるカバレッジ環境の変化に従ってカバレッジ拡張を効果的にタイムリに調節できず、カバレッジ拡張の実行効率は低い。しかし、本願では、端末は、ネットワーク装置により配送されたダウンリンク信号に従って端末の第１のカバレッジ・レベルを決定し、第１のカバレッジ・レベルを用いることによって、当該アップリンク信号をネットワーク装置に送信するときに使用されるアップリンク通信パラメータを決定し、即ち、端末が当該アップリンク信号をネットワーク装置に繰り返し送信するかどうかを判定するか、または、当該アップリンク信号を送信する反復回数は端末の第１のカバレッジ・レベルによって決定される。ネットワーク装置はＡＣＫ／ＮＡＣＫフィードバックを端末に送信する必要がない（即ち、端末はＡＣＫフィードバックまたはＮＡＣＫフィードバックを待つ必要がない）。したがって、無線ネットワークのカバレッジ拡張の実行期間は比較的短く、端末の電力消費およびシグナリング・オーバヘッドが減る。さらに、柔軟な送信反復回数は無線ネットワークのカバレッジ性能の比較的大きな増加につながる。さらに、端末は、当該ダウンリンク信号に従って端末のカバレッジ・レベルを直接決定し、当該カバレッジ・レベルに従って当該アップリンク通信パラメータを効果的にタイムリに調節し、その結果、端末はカバレッジ拡張を効果的にタイムリに調節でき、それによりカバレッジ拡張の実行効率が改善され、アップリンク通信の性能が高まる。
【００４９】
本発明の当該実施形態で提供された端末によれば、受信ユニットは、ネットワーク装置により送信されたダウンリンク信号を受信し、処理ユニットは、当該ダウンリンク信号に従って端末の第１のカバレッジ・レベルを決定し、第１のカバレッジ・レベルに従ってアップリンク通信パラメータを決定し、送信ユニットは、当該アップリンク通信パラメータに従ってアップリンク信号をネットワーク装置に送信して、無線ネットワークのカバレッジ拡張を実装する。本発明の当該実施形態で提供された端末によれば、当該アップリンク信号の受信に成功する可能性が高まる。したがって、ネットワーク装置はＡＣＫフィードバックまたはＮＡＣＫフィードバックを端末に送信する必要がなく、その結果、端末とネットワーク装置の間のエア・インタフェースのオーバヘッドが減り、端末がカバレッジ拡張を実施する期間が短縮され、端末の電力消費が減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００５０】
さらに、当該ダウンリンク信号が、ダウンリンク同期チャネル（Ｓｙｎｃｈｒｏｎｉｚａｔｉｏｎ  Ｃｈａｎｎｅｌ、以降ＳＣＨと称する）で送信された第１の信号、共通転送チャネル（Ｃｏｍｍｏｎ  ｔｒａｎｓｐｏｒｔ  Ｃｈａｎｎｅｌ、以降ＣＣＨと称する）で送信された第２の信号、ブロードキャスト制御チャネル（Ｂｒｏａｄｃａｓｔ  Ｃｏｎｔｒｏｌ  Ｃｈａｎｎｅｌ、以降ＢＣＣＨと称する）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含んでもよい。
【００５１】
任意選択で、ダウンリンク同期に使用される繰り返し送信されたシーケンス信号がプライマリ同期信号（Ｐｒｉｍａｒｙ  Ｓｙｎｃｈｒｏｎｉｚａｔｉｏｎ  Ｓｉｇｎａｌ、以降ＰＳＳと称する）であってもよいか、またはセカンダリ同期信号（Ｓｅｃｏｎｄａｒｙ  Ｓｙｎｃｈｒｏｎｉｚａｔｉｏｎ  Ｓｉｇｎａｌ、以降ＳＳＳと称する）であってもよい。セル・チャネル測定に使用される基準信号がセル固有の基準信号（Ｃｅｌｌ−ｓｐｅｃｉｆｉｃ  Ｒｅｆｅｒｅｎｃｅ  Ｓｉｇｎａｌｓ、以降ＣＲＳと称する）であってもよい。
【００５２】
任意選択で、当該ダウンリンク信号が第１の信号、第２の信号、第３の信号、ダウンリンク同期に使用される繰り返し送信されたシーケンス信号、セル・チャネル測定に使用される基準信号、およびＢＣＣＨキャリアで送信された信号から成る複数の信号を含むとき、端末が、各ダウンリンク信号に従って１つの第１のカバレッジ・レベルを決定し、次いで対応して、複数の第１のカバレッジ・レベルを分析または計算して、最も正確な端末の第１のカバレッジ・レベルを取得してもよい。ここで、正確な第１のカバレッジ・レベルを取得できるならば、当該複数の第１のカバレッジ・レベルの対応する分析または計算が、重み付き平均、算術平均、または機能マッピングのような任意の計算であってもよいことに留意すべきである。
【００５３】
図１に示す上述の実施形態に基づいて、当該実施形態の第１の可能な実装方式では、当該実施形態は、当該ダウンリンク信号が第１の信号、第２の信号、または第３の信号の何れか１つであるとき、端末がカバレッジ拡張を実施する具体的なプロセスを含む。上述の実施形態に基づいて、処理ユニット１１は特に、当該ダウンリンク信号の復号化に成功したとき、第１の所定の関係および受信ユニット１０により当該ダウンリンク信号を受信した回数に従って端末の第１のカバレッジ・レベルを決定するように構成される。第１の所定の関係は、第１のカバレッジ・レベルと端末が当該ダウンリンク信号の復号化に成功したときの当該ダウンリンク信号を受信した回数との間のマッピング関係を含む。
【００５４】
特に、当該ダウンリンク信号がＳＣＨで送信された第１の信号である場合、第１の信号を最初に受信したとき、受信ユニット１０が第１の信号を処理ユニット１１に送信する。処理ユニット１１が第１の信号を復号化し、復号化が成功した場合、第１の信号の反復回数は１であると判定し、復号化に失敗した場合には、第１の信号の復号化に成功するまで、次の第１の信号および復号化に失敗した以前の第１の信号の組合せにソフト結合を実施し、復号化を再度実施する、等である。第１の信号の復号化に成功するまでに第１の信号を受信する回数が決定される。
【００５５】
処理ユニット１１は第１の信号の当該決定された反復回数を第１の所定の関係とマッチして、端末の第１のカバレッジ・レベルを決定する。第１の所定の関係が複数の所定の閾値範囲を含んでもよく、各所定の閾値範囲は１つのカバレッジ・レベルに対応する。任意選択で、第１の所定の関係がマッピング・テーブルの形であってもよい。ここで、単純な例として、端末のカバレッジ・レベルが特に、３つのレベル、即ち、それぞれカバレッジ・レベル０、カバレッジ・レベル１、およびカバレッジ・レベル２を含むと仮定する。カバレッジ・レベル０に対応するカバレッジ性能を０ｄＢだけ増大する必要があり、カバレッジ・レベル１に対応するカバレッジ性能を１０ｄＢだけ増大する必要があり、カバレッジ・レベル２に対応するカバレッジ性能を２０ｄＢだけ増大する必要がある。カバレッジ・レベル０に対応する所定の閾値範囲は「第１の反復回数＝１」であり、カバレッジ・レベル１に対応する所定の閾値範囲は「１＜第１の反復回数≦４」であり、カバレッジ・レベル２に対応する所定の閾値範囲が「４＜第１の反復回数≦８」であってもよい。詳細については、表１を参照してもよい。
【００５６】
【表１】
0006508662.tif 000002
【００５７】
上述の表１における第１の所定の関係は１例にすぎないことに留意すべきである。第１の所定の関係の形態または所定の閾値範囲は本発明では限定されない。
【００５８】
端末の第１のカバレッジ・レベルを決定した後、処理ユニット１１は、第１のカバレッジ・レベルに従って、当該アップリンク信号をネットワーク装置に送信するときに使用されるアップリンク通信パラメータを決定する。
【００５９】
本発明の当該実施形態で提供された端末によれば、受信ユニットは、ネットワーク装置により送信されたダウンリンク信号を受信し、処理ユニットは、復号化が成功したときに第１の所定の関係および当該受信ユニットにより当該ダウンリンク信号を受信した回数に従って、端末の第１のカバレッジ・レベルを決定し、第１のカバレッジ・レベルに従って、端末がアップリンク信号をネットワーク装置に送信するとき使用されるアップリンク通信パラメータを決定し、その結果送信ユニットは当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００６０】
図１に示す上述の実施形態に基づいて、当該実施形態の第２の可能な実装方式では、当該実施形態は、ダウンリンク信号がダウンリンク同期に使用される繰り返し送信されたシーケンス信号であるとき端末がカバレッジ拡張を実施する具体的なプロセスを含む。ダウンリンク同期に使用される繰り返し送信されたシーケンス信号（例えば、ＰＳＳまたはＳＳＳ）は自己反復の特性を有する。当該実施形態における解決策は新たなエア・インタフェースのシナリオに適用可能である。図１に示す上述の実施形態に基づいて、処理ユニット１１は特に、当該ダウンリンク信号を受信した時点に、エネルギ蓄積を受信ユニット１０により受信された全てのダウンリンク信号に実施し、エネルギ蓄積の後に取得された信号を当該ダウンリンク信号の所定の基準信号と相関付けて、当該ダウンリンク信号の相関値を取得し、当該ダウンリンク信号の相関値が所定の閾値を超過したとき、第２の所定の関係および受信ユニット１０により当該ダウンリンク信号を受信した回数に従って端末の第１のカバレッジ・レベルを決定するように構成される。第２の所定の関係は、第１のカバレッジ・レベルと当該ダウンリンク信号の相関値が当該所定の閾値を超過したときの端末により当該ダウンリンク信号を受信した回数との間のマッピング関係を含む。
【００６１】
特に、ダウンリンク信号がＰＳＳであることを１例として使用する（当該ダウンリンク信号がＳＳＳであるケースについては、以下の実行プロセスを参照してもよい）。当該ＰＳＳを最初に受信したとき、受信ユニット１０は当該ＰＳＳを処理ユニット１１に送信する。処理ユニット１１は当該ＰＳＳと端末内部で予め決められた当該ＰＳＳの基準信号とを相関付けて（ネットワーク装置により送信され端末により受信されたＰＳＳは無線チャネルを通るＰＳＳであり、当該ＰＳＳはチャネル減衰または干渉のような因子により実際に影響されておりネットワーク装置により端末にもともと送信された理想的なＰＳＳではないが、端末内部で予め決められた当該ＰＳＳの基準信号は当該無線チャネルを通過しない理想的なＰＳＳである）、当該ＰＳＳの相関値を取得し、当該ＰＳＳの相関値が当該所定の閾値を超過したかどうかを判定する。当該所定の閾値を超過したとき、処理ユニット１１は、当該ＰＳＳの反復回数が１であると判定する。当該閾値を超過したとき、処理ユニット１１が、当該ＰＳＳの相関値が当該所定の閾値を超過したと判定するまで、処理ユニット１１は次の受信されたＰＳＳおよび以前のＰＳＳにエネルギ蓄積を実施し、蓄積後に取得されたＰＳＳの相関値を計算し（即ち、蓄積後に取得されたＰＳＳおよび端末内部で予め決定されたＰＳＳの基準信号が相関付けられる）、当該相関値が当該所定の閾値を超過したかどうかを判定する、等である。当該ＰＳＳの相関値が当該所定の閾値より大きくなるまでに当該ＰＳＳを受信する回数が決定される。
【００６２】
処理ユニット１１は、当該ＰＳＳの決定された相関値がより大きいとき、第２の所定の関係を受信ユニット１０により当該ＰＳＳを受信する回数とマッチし、端末の第１のカバレッジ・レベルを決定する。第２の所定の関係が複数の所定の閾値範囲を含んでもよく、各所定の閾値範囲は１つのカバレッジ・レベルに対応する。任意選択で、第２の所定の関係がマッピング・テーブルの形であってもよい。ここで、単純な例として、端末のカバレッジ・レベルが特に、３つのレベル、即ち、それぞれカバレッジ・レベル０、カバレッジ・レベル１、およびカバレッジ・レベル２を含んでもよいと仮定する。カバレッジ・レベル０に対応するカバレッジ性能を０ｄＢだけ増大する必要があり、カバレッジ・レベル１に対応するカバレッジ性能を１０ｄＢだけ増大する必要があり、カバレッジ・レベル２に対応するカバレッジ性能を２０ｄＢだけ増大する必要がある。カバレッジ・レベル０に対応する所定の閾値範囲は「第２の反復回数＝１」であり、カバレッジ・レベル１に対応する所定の閾値範囲は「１＜第２の反復回数≦４」であり、カバレッジ・レベル２に対応する所定の閾値範囲が「４＜第２の反復回数≦８」であってもよい。詳細については、表２を参照してもよい。
【００６３】
【表２】
0006508662.tif 000003
【００６４】
上述の表２における第２の所定の関係は１例にすぎないことに留意すべきである。第２の所定の関係の形態または所定の閾値範囲は本発明では限定されない。
【００６５】
端末の第１のカバレッジ・レベルを決定した後、処理ユニット１１は、第１のカバレッジ・レベルに従って、当該アップリンク信号をネットワーク装置に送信するときに使用されるアップリンク通信パラメータを決定する。
【００６６】
本発明の当該実施形態で提供された端末によれば、受信ユニットは、ネットワーク装置により送信されたダウンリンク信号を受信し、処理ユニットは、当該ダウンリンク信号の相関値が所定の閾値を超過したとき第２の所定の関係および当該受信ユニットにより当該ダウンリンク信号を受信した回数に従って端末の第１のカバレッジ・レベルを決定し、第１のカバレッジ・レベルに従って、端末がアップリンク信号をネットワーク装置に送信するとき使用されるアップリンク通信パラメータを決定し、その結果送信ユニットは当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００６７】
図１に示す上述の実施形態に基づいて、当該実施形態の第３の可能な実装方式では、当該実施形態は、当該ダウンリンク信号が当該ＢＣＣＨキャリアで送信された信号であるとき端末がカバレッジ拡張を実施する具体的なプロセスを含む。図１に示す上述の実施形態に基づいて、処理ユニット１１は特に、受信ユニット１０により所定の期間に受信されたダウンリンク信号の受信信号強度を測定するように構成され、当該所定の期間に測定された当該ダウンリンク信号の受信信号強度に従って第１の受信信号強度を決定し、第１の受信信号強度および第３の所定の関係に従って端末の第１のカバレッジ・レベルを決定する。第３の所定の関係は、第１の受信信号強度と第１のカバレッジ・レベルの間のマッピング関係を含む。
【００６８】
特に、ネットワーク装置が、当該所定の期間に当該ＢＣＣＨキャリアで送信された信号を端末に送信する、即ち、当該信号はＢＣＣＨで運搬され、端末に送信される。受信ユニット１０は、当該ＢＣＣＨキャリアで送信された受信信号を処理ユニット１１に送信する。処理ユニット１１は当該ＢＣＣＨキャリアで送信された信号の受信信号強度を測定し、当該ＢＣＣＨキャリアで送信された信号の受信信号強度に従う計算により第１の受信信号強度を取得する。任意選択で、第１の受信信号強度が当該ＢＣＣＨキャリアで送信された信号の平均受信信号強度であってもよいか、または処理ユニット１１によって当該所定の期間に全てのＢＣＣＨキャリアで送信された信号の受信信号強度に実施された任意の計算により取得された受信信号強度であってもよい。
【００６９】
処理ユニット１１は当該決定された第１の受信信号強度を第３の所定の関係とマッチして、端末の第１のカバレッジ・レベルを決定する。第３の所定の関係が複数の所定の閾値範囲を含んでもよく、各所定の閾値範囲は１つのカバレッジ・レベルに対応する。任意選択で、第３の所定の関係がマッピング・テーブルの形であってもよい。端末のカバレッジ・レベルが特に、３つのレベル、即ち、それぞれカバレッジ・レベル０、カバレッジ・レベル１、およびカバレッジ・レベル２を含んでもよいと仮定する。カバレッジ・レベル０に対応するカバレッジ性能を０ｄＢだけ増大する必要があり、カバレッジ・レベル１に対応するカバレッジ性能を１０ｄＢだけ増大する必要があり、カバレッジ・レベル２に対応するカバレッジ性能を２０ｄＢだけ増大する必要がある。カバレッジ・レベル０に対応する所定の閾値範囲はＡであり、カバレッジ・レベル１に対応する所定の閾値範囲はＢであり、カバレッジ・レベル２に対応する所定の閾値範囲がＣであってもよい。詳細については、表３を参照してもよい。
【００７０】
【表３】
0006508662.tif 000004
【００７１】
上述の表３における第３の所定の関係は１例にすぎないことに留意すべきである。第３の所定の関係の形態または所定の閾値範囲は本発明では限定されない。
【００７２】
端末の第１のカバレッジ・レベルを決定した後、処理ユニット１１は、第１のカバレッジ・レベルに従って、当該アップリンク信号をネットワーク装置に送信するときに使用されるアップリンク通信パラメータを決定する。
【００７３】
本発明の当該実施形態で提供された端末によれば、受信ユニットは、ネットワーク装置により送信されたダウンリンク信号を受信し、処理ユニットは所定の期間に受信された各ダウンリンク信号の受信信号強度を測定し、これらのダウンリンク信号の第１の受信信号強度を取得して、第１の受信信号強度および第３の所定の関係に従って端末の第１のカバレッジ・レベルを決定し、第１のカバレッジ・レベルに従って、端末がアップリンク信号をネットワーク装置に送信するとき使用されるアップリンク通信パラメータを決定する。したがって、送信ユニットは当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００７４】
図１に示す上述の実施形態に基づいて、当該実施形態の第４の可能な実装方式では、当該実施形態は、当該ダウンリンク信号がセル・チャネル測定に使用される基準信号であるとき端末がカバレッジ拡張を実施する具体的なプロセスを含む。図１に示す上述の実施形態に基づいて、処理ユニット１１は特に、受信ユニット１０により所定の期間に受信されたダウンリンク信号に従って端末とネットワーク装置の間の経路損失を測定し、当該所定の期間に測定された全ての経路損失に従って端末とネットワーク装置の間の第１の経路損失を決定し、第１の経路損失および第４の所定の関係に従って端末の第１のカバレッジ・レベルを決定するように構成される。第４の所定の関係は、第１の経路損失と第１のカバレッジ・レベルとの間のマッピング関係を含む。
【００７５】
特に、ダウンリンク信号がＣＲＳであることを１例として使用する。ネットワーク装置が繰り返し、当該ＣＲＳを当該所定の期間に端末に送信する。受信ユニット１０が、各受信されたＣＲＳを処理ユニット１１に送信する。処理ユニット１１は、受信ユニット１０により当該所定の期間に受信された各ＣＲＳに従って端末とネットワーク装置との間の経路損失（１つのＣＲＳ１つの経路損失に対応する）を測定し、これらの経路損失に従う計算により端末とネットワーク装置との間の第１の経路損失を取得する。任意選択で、第１の経路損失が端末とネットワーク装置との間の平均経路損失であってもよいか、または処理ユニット１１により当該所定の期間に端末とネットワーク装置との間の全ての経路損失に実施された任意の計算により取得された経路損失であってもよい。
【００７６】
処理ユニット１１は当該決定された第１の経路損失を第４の所定の関係とマッチして、端末の第１のカバレッジ・レベルを決定する。第４の所定の関係が複数の所定の閾値範囲を含んでもよく、各所定の閾値範囲は異なるカバレッジ・レベルに対応する。任意選択で、第４の所定の関係がマッピング・テーブルの形であってもよい。端末のカバレッジ・レベルが特に、３つのレベル、即ち、それぞれカバレッジ・レベル０、カバレッジ・レベル１、およびカバレッジ・レベル２を含んでもよいと仮定する。カバレッジ・レベル０に対応するカバレッジ性能を０ｄＢだけ増大する必要があり、カバレッジ・レベル１に対応するカバレッジ性能を１０ｄＢだけ増大する必要があり、カバレッジ・レベル２に対応するカバレッジ性能を２０ｄＢだけ増大する必要がある。カバレッジ・レベル０に対応する所定の閾値範囲はＤであり、カバレッジ・レベル１に対応する所定の閾値範囲はＥであり、カバレッジ・レベル２に対応する所定の閾値範囲がＦであってもよい。詳細については、表４を参照してもよい。
【００７７】
【表４】
0006508662.tif 000005
【００７８】
上述の表４における第４の所定の関係は１例にすぎないことに留意すべきである。第４の所定の関係の形態または所定の閾値範囲は本発明では限定されない。
【００７９】
端末の第１のカバレッジ・レベルを決定した後、処理ユニット１１は、第１のカバレッジ・レベルに従って、当該アップリンク信号をネットワーク装置に送信するときに使用されるアップリンク通信パラメータを決定する。
【００８０】
本発明の当該実施形態で提供された端末によれば、受信ユニットは、ネットワーク装置により送信されたダウンリンク信号を受信し、処理ユニットは当該受信ユニットにより所定の期間に受信された各ＣＲＳに従って端末とネットワーク装置の間の経路損失を測定し、端末と端末装置の間の第１の経路損失を取得し、第１の経路損失および第４の所定の関係に従って端末の第１のカバレッジ・レベルを決定して、第１のカバレッジ・レベルに従って、端末がアップリンク信号をネットワーク装置に送信するとき使用されるアップリンク通信パラメータを決定する。したがって、送信ユニットは当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００８１】
上述の可能な実装方式の何れか１つに基づいて、本発明の当該実施形態の第５の可能な実装方式では、当該実施形態は、端末が当該決定された第１のカバレッジ・レベルをネットワーク装置に送信し、その結果、ネットワーク装置が正しいリソース・スケジューリングを端末に実施する具体的なプロセスを含む。送信ユニット１２はさらに、第１のカバレッジ・レベルをネットワーク装置に送信するように構成される。
【００８２】
特に、端末の第１のカバレッジ・レベルを決定した後、ダウンリンク信号に従って、処理ユニット１１が、送信ユニット１２を用いることによって第１のカバレッジ・レベルをネットワーク装置に送信する。任意選択で、第１のカバレッジ・レベルをネットワーク装置に明示的な方式で直接（メッセージ情報要素の方式で直接）送信してもよいか、または第１のカバレッジ・レベルを物理信号で運搬し暗黙の方式でネットワーク装置に送信してもよい。任意選択で、明示的な送信方式において、ランダム・アクセス・チャネル（Ｒａｎｄｏｍ  Ａｃｃｅｓｓ  Ｃｈａｎｎｅｌ、以降ＲＡＣＨと称する）で送信されたチャネル要求メッセージを用いることによって第１のカバレッジ・レベルをネットワーク装置に送信してもよい。暗黙の送信方式においては、端末が、アップリンク信号または他の物理レイヤ処理（例えば、シンボル・ローテーション、信号循環シフト、特殊シーケンスの追加またはスクランブリングのような方式）を送信する反復回数を用いることによって、第１のカバレッジ・レベルに関する情報を運搬してもよい。
【００８３】
第１のカバレッジ・レベルを受信した後、ネットワーク装置が正しいリソース・スケジューリングを端末のアップリンクおよびダウンリンク・リソースに実施する。
【００８４】
本発明の当該実施形態で提供された端末によれば、ダウンリンク信号に従って端末の第１のカバレッジ・レベルを決定した後、処理ユニットが、送信ユニットを用いることによって第１のカバレッジ・レベルをネットワーク装置に送信し、その結果、ネットワーク装置による端末のアップリンクおよびダウンリンク・リソースのスケジューリングはより正確であり、リソース利用が改善される。
【００８５】
上述の可能な実装方式の何れか１つに基づいて、本発明の当該実施形態の第６の可能な実装方式では、当該実施形態は、端末がカバレッジ・レベルを更新する具体的なプロセスを含む。さらに、処理ユニット１１はさらに、ネットワーク装置へのサービス接続を確立するように構成される。受信ユニット１０はさらに、ネットワーク装置により繰り返し送信されたサービス信号を受信するように構成され、当該サービス信号の反復回数は、端末の第１のカバレッジ・レベルに従ってネットワーク装置によって決定される。処理ユニット１１はさらに、第５の所定の関係および当該サービス信号の復号化に成功したときに当該サービス信号を受信した回数に従って、端末の第２のカバレッジ・レベルを決定するように構成される。第５の所定の関係は、第２のカバレッジ・レベルと端末が当該サービス信号の復号化に成功したときの当該サービス信号を受信した回数との間のマッピング関係を含む。
【００８６】
特に、上述の実施形態の何れか１つにおいて、端末は、端末の第１のカバレッジ・レベルを決定した後にのみサービス信号通信をネットワーク装置で実施する。当該サービス信号がダウンリンク・データ信号であってもよい。
【００８７】
受信ユニット１０は、ネットワーク装置により繰り返し送信されたサービス信号を受信する。当該サービス信号の反復回数は、送信ユニット１２により報告された端末の第１のカバレッジ・レベルに従ってネットワーク装置によって決定される。当該数がｎである、即ち、端末の第１のカバレッジ・レベルは、当該サービス信号がｎ回繰り返された後にのみ端末が復号化の実施に成功しうると判定すると仮定する。したがって、ネットワーク装置により当該サービス信号を送信する回数はｎである。受信ユニット１０が、全ての受信されたサービス信号を処理ユニット１１に送信する。処理ユニット１１は当該サービス信号を復号化する。復号化が成功したとき、当該処理ユニットは復号化が成功するまで当該サービス信号を受信した回数を記録する。当該数はｍである（ｍはｎより小さい）、即ち、この場合、当該サービス信号がｍ回繰り返された後にのみ端末が当該サービス信号の復号化に成功しうると仮定する。したがって、処理ユニット１１は、第５の所定の関係を復号化が成功したとき当該サービス信号を受信する回数（即ち、ｍ）とマッチし、端末の第２のカバレッジ・レベルを決定して、端末の元の第１のカバレッジ・レベルを第２のカバレッジ・レベルに更新する。任意選択で、端末が送信ユニット１２を用いることによって第２のカバレッジ・レベルをネットワーク装置に送信してもよく、その結果、ネットワーク装置は第２のカバレッジ・レベルに従って正しいリソースを端末に割り当て、それにより冗長な送信に起因するリソース無駄を回避する。任意選択で、端末が、第２のカバレッジ・レベルに従ってタイムリに、反復回数、チャネル帯域幅、送信電力、または変調符号化方式のようなネットワーク装置でサービス通信を実施するとき使用されるアップリンク通信パラメータを調節してもよい。
【００８８】
本発明の当該実施形態で提供された端末によれば、受信ユニットは、ネットワーク装置により繰り返し送信されたサービス信号を受信する。当該サービス信号の反復回数は、端末の第１のカバレッジ・レベルに従ってネットワーク装置によって決定される。処理ユニットは、第５の所定の関係および復号化が成功したとき当該サービス信号を受信した回数に従って端末の第２のカバレッジ・レベルを決定する。本発明の当該実施形態で提供された端末によれば、端末のカバレッジ・レベルはタイムリに更新され、アップリンク通信パラメータは当該更新されたカバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００８９】
任意選択で、上述の可能な実装方式の何れか１つに基づいて、端末の第１のカバレッジ・レベルに従って端末によって決定されるアップリンク通信パラメータが、反復回数、チャネル帯域幅、当該送信電力、または端末が当該アップリンク信号を送信するときに使用される変調符号化方式のうち少なくとも１つであってもよい。
【００９０】
端末が複数のタイプのチャネル帯域幅を使用してネットワーク装置と通信してもよいので、ここでは、処理ユニット１１は、第１のカバレッジ・レベルに従って、当該端末が当該アップリンク信号をネットワーク装置に送信するときに使用されるチャネル帯域幅を決定し、その結果送信ユニット１２が当該決定されたチャネル帯域幅を用いることによって、当該アップリンク信号をネットワーク装置に所定の反復回数だけ送信してもよいことに留意すべきである。当該所定の反復回数と端末により当該アップリンク信号を送信するために使用される決定されたチャネル帯域幅との間には対応関係がある。例えば、送信ユニット１２により当該アップリンク信号を送信するために使用されるより狭いチャネル帯域幅は、送信ユニット１２により送信されたアップリンク信号のより集中したエネルギにつながり、したがってより小さな所定の反復回数につながる。したがって、端末が当該アップリンク信号を比較的適切な反復回数だけネットワーク装置に送信でき、端末のシグナリング・オーバヘッドが減る。
【００９１】
１態様では、処理ユニット１１が、当該決定された第１のカバレッジ・レベルに従って、端末が当該アップリンク信号をネットワーク装置に送信するときに使用されるチャネル帯域幅および当該反復回数を決定してもよい。即ち、処理ユニット１１は同時に、第１のカバレッジ・レベルに従って、端末が当該アップリンク信号を送信するのに適したチャネル帯域幅および反復回数を決定する。ここで決定された当該チャネル帯域幅および当該反復回数は第１のカバレッジ・レベル、当該反復回数、および当該チャネル帯域幅に従って処理ユニット１１により包括的に考慮される。例えば、処理ユニット１１が、第１のカバレッジ・レベルに従って反復回数の数Ａを決定してもよいか、または、第１のカバレッジ・レベルに従ってチャネル帯域幅Ｂを決定してもよい。さらに、処理ユニット１１が、無線ネットワーク内の実際の無線環境（例えば、チャネルおよびチャネル雑音の高速フェーディング）に従って当該決定された反復回数の数Ａおよび当該決定されたチャネル帯域幅Ｂに細かな調節を実施し、正しいチャネル帯域幅ａおよび正しい反復回数の数ｂを選択し、反復回数の数ｂだけ当該アップリンク信号をチャネル帯域幅ａ上で送信してもよい。当該方法では、端末が当該アップリンク信号をネットワーク装置に多数回繰り返し送信する必要はなく、端末のシグナリング・オーバヘッドが減る。
【００９２】
別の態様では、本発明の当該実施形態における端末が、ネットワーク装置と通信するときに複数の変調符号化方式を使用してもよい。処理ユニット１１は、第１のカバレッジ・レベルに従って、端末がアップリンク信号をネットワーク装置に送信するときに使用される変調符号化方式を決定する。例えば、端末により決定されたより高い第１のカバレッジ・レベルは、端末が現在配置された無線チャネル環境が比較的貧弱であり、現在のカバレッジ性能を比較的大きな振幅で増大させる必要があることを示す。したがって、端末は、低次変調方式および符号化方式を比較的高い冗長性で使用して、端末により不適切な変調符号化方式を用いることによって生ずる冗長な送信を回避し、端末のシグナリング・オーバヘッドを低減する。
【００９３】
当該実施形態で提供する端末によれば、アップリンク通信を実施するとき、端末が、端末がアップリンク信号を送信するのに適したアップリンク通信パラメータを使用してもよく、それにより端末のシグナリング・オーバヘッドが減る。
【００９４】
図３は、本発明に従うネットワーク装置の第１の実施形態の略構造図である。図３に示すように、ネットワーク装置は送信ユニット２１および受信ユニット２２を備える。送信ユニット２１はダウンリンク信号を端末に送信するように構成される。受信ユニット２２は、端末により決定されたアップリンク通信パラメータに従って、端末により送信されたアップリンク信号を受信するように構成される。当該アップリンク通信パラメータは、第１のカバレッジ・レベルに従って端末によって決定され、第１のカバレッジ・レベルは、当該ダウンリンク信号に従って端末によって決定される。
【００９５】
特に、送信ユニット２１は当該ダウンリンク信号を端末に送信する。当該ダウンリンク信号が、ネットワーク装置により配送された任意の信号、例えば、ブロードキャスト信号、共通制御信号、またはサービス信号であってもよい。ネットワーク装置により送信されたダウンリンク信号を受信した後、端末は、当該ダウンリンク信号に従って端末の第１のカバレッジ・レベルを決定する。任意選択で、端末が、或る期間に繰り返し送信されたダウンリンク信号を測定または復号化することによって端末の第１のカバレッジ・レベルを決定してもよい。
【００９６】
第１のカバレッジ・レベルが、カバレッジ性能において増大する必要がある値に対応してもよい。例えば、端末のカバレッジ・レベルが特に、３つのレベル、即ち、それぞれカバレッジ・レベル０、カバレッジ・レベル１、およびカバレッジ・レベル２を含んでもよいと仮定する。カバレッジ・レベル０に対応するカバレッジ性能を０ｄＢだけ増大する必要がある（即ち、拡張の必要はない）、カバレッジ・レベル１に対応するカバレッジ性能を０−１０ｄＢだけ増大する必要があり、カバレッジ・レベル２に対応するカバレッジ性能を１０−２０ｄＢだけ増大する必要がある。カバレッジ性能拡張およびシステム設計の複雑度を考慮すると、カバレッジ性能において増大する必要がある最大値のみが端末のカバレッジ性能拡張のターゲットとして考慮される。即ち、端末の第１のカバレッジ・レベルがカバレッジ・レベル１であると判定したとき、端末が、第１のカバレッジ・レベルに従って構成を実施すべきアップリンク通信パラメータを決定してもよく、その結果受信ユニット２２が、当該アップリンク通信パラメータに従って端末により送信されたアップリンク信号を受信してもよい。したがって、カバレッジ性能を１０ｄＢだけ増大させてもよい。当該アップリンク通信パラメータが端末により当該アップリンク信号をネットワーク装置に送信する反復回数であってもよいか、または、端末により当該アップリンク信号をネットワーク装置に送信するための電力であってもよいか、または端末が当該アップリンク信号をネットワーク装置に送信するときに使用されるチャネル帯域幅であってもよいか、または、端末が当該アップリンク信号をネットワーク装置に送信するときに使用される変調符号化方式であってもよい、等である。当該パラメータがカバレッジ性能に関連するならば、当該アップリンク通信パラメータは本発明の当該実施形態では限定されない。任意選択で、上で例示した例に従って、端末の第１のカバレッジ・レベルがカバレッジ・レベル１であると判定したとき、端末が、当該カバレッジ性能を１０ｄＢだけ増大させてもよい。
【００９７】
先行技術では、無線ネットワークのカバレッジ性能は一般にＨＡＲＱまたはＡＲＱ再送機構を用いることによって高められ、当該ＨＡＲＱまたは当該ＡＲＱはＭＡＣレイヤに基づく送信機構および／またはＲＬＣレイヤに基づく送信機構である。端末は、当該ＨＡＲＱまたはＡＲＱ再送機構の実施において協調して、端末により実施される受信の成功可能性を高めるためのネットワーク装置のＡＣＫ／ＮＡＣＫ応答機構が必要である。当該方法では、エア・インタフェースの対話が頻繁であり、シグナリング・オーバヘッドが大きく、カバレッジ拡張の実行期間は相対的に長く、端末の電力消費は大きい。さらに、通信手続きのリソース、遅延、および複雑度のような因子を考慮して再送の回数は一般に大きな値に設定されないので、無線ネットワークのカバレッジ拡張幅は制限される。さらに、端末は端末が配置されるカバレッジ環境の変化に従ってカバレッジ拡張を効果的にタイムリに調節できず、カバレッジ拡張の実行効率は低い。しかし、本願では、端末は、ネットワーク装置により配送されたダウンリンク信号に従って端末の第１のカバレッジ・レベルを決定し、第１のカバレッジ・レベルを用いることによって、当該アップリンク信号をネットワーク装置に送信するときに使用されるアップリンク通信パラメータを決定する、即ち、端末が当該アップリンク信号をネットワーク装置に繰り返し送信するかどうかを判定するか、または、当該アップリンク信号を送信する反復回数は端末の第１のカバレッジ・レベルによって決定される。ネットワーク装置はＡＣＫ／ＮＡＣＫフィードバックを端末に送信する必要がない（即ち、端末はＡＣＫフィードバックまたはＮＡＣＫフィードバックを待つ必要がない）。したがって、無線ネットワークのカバレッジ拡張の実行期間は比較的短く、端末の電力消費およびシグナリング・オーバヘッドが減る。さらに、柔軟な送信反復回数は無線ネットワークのカバレッジ性能の比較的大きな増加につながる。さらに、端末は、当該ダウンリンク信号に従って端末のカバレッジ・レベルを直接決定し、当該カバレッジ・レベルに従って当該アップリンク通信パラメータを効果的にタイムリに調節し、その結果、端末はカバレッジ拡張を効果的にタイムリに調節でき、それによりカバレッジ拡張の実行効率が改善され、アップリンク通信の性能が高まる。
【００９８】
本発明の当該実施形態で提供されたネットワーク装置によれば、送信ユニットがダウンリンク信号を端末に送信し、その結果、端末は、当該ダウンリンク信号に従って端末の第１のカバレッジ・レベルを決定し、第１のカバレッジ・レベルに従ってアップリンク通信パラメータを決定する。したがって、受信ユニットが、当該決定されたアップリンク通信パラメータに従って端末により送信されたアップリンク信号を受信し、無線ネットワークのカバレッジ拡張を実装してもよい。本発明の当該実施形態で提供されたネットワーク装置によれば、当該アップリンク信号の受信に成功する可能性が高まる。したがって、ネットワーク装置はＡＣＫフィードバックまたはＮＡＣＫフィードバックを端末に送信する必要がなく、その結果、端末とネットワーク装置の間のエア・インタフェースのオーバヘッドが減り、端末がカバレッジ拡張を実施する期間が短縮され、端末の電力消費が減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【００９９】
さらに、当該ダウンリンク信号は、ＳＣＨで送信された第１の信号、ＣＣＨで送信された第２の信号、ＢＣＣＨで送信された第３の信号、ダウンリンク同期に使用される繰り返し送信されたシーケンス信号、セル・チャネル測定に使用される基準信号、またはＢＣＣＨキャリアで送信された信号のうち１つを含む。
【０１００】
任意選択で、ダウンリンク同期に使用される繰り返し送信されたシーケンス信号がＰＳＳであってもよいか、または、ＳＳＳであってもよい。セル・チャネル測定に使用される基準信号がＣＲＳであってもよい。
【０１０１】
さらに、当該アップリンク通信パラメータが反復回数、チャネル帯域幅、送信電力、または端末により当該アップリンク信号を送信するために使用される変調符号化方式であってもよい。
【０１０２】
端末が複数のタイプのチャネル帯域幅を使用してネットワーク装置と通信してもよいので、ここでは、端末は、第１のカバレッジ・レベルに従って、当該端末が当該アップリンク信号をネットワーク装置に送信するときに使用されるチャネル帯域幅を決定し、その結果、端末が当該決定されたチャネル帯域幅を用いることによって、当該アップリンク信号をネットワーク装置に所定の反復回数だけ送信してもよいことに留意すべきである。当該所定の反復回数と端末により当該アップリンク信号を送信するために使用される決定されたチャネル帯域幅との間には対応関係がある。例えば、端末により当該アップリンク信号を送信するために使用されるより狭いチャネル帯域幅は端末により送信されたアップリンク信号のより集中したエネルギにつながり、したがってより小さな所定の反復回数につながる。したがって、端末が当該アップリンク信号を比較的適切な反復回数だけネットワーク装置に送信でき、端末のシグナリング・オーバヘッドが減る。
【０１０３】
別の態様では、端末が、決定された第１のカバレッジ・レベルに従って、端末が当該アップリンク信号をネットワーク装置に送信するときに使用されるチャネル帯域幅および当該反復回数を決定してもよい。即ち、端末は同時に、第１のカバレッジ・レベルに従って、端末が当該アップリンク信号を送信するのに適したチャネル帯域幅および反復回数を決定する。ここで決定された当該チャネル帯域幅および当該反復回数は、第１のカバレッジ・レベル、当該反復回数、および当該チャネル帯域幅に従って端末により包括的に考慮される。例えば、端末が、第１のカバレッジ・レベルに従って反復回数の数Ａを決定してもよいか、または、第１のカバレッジ・レベルに従ってチャネル帯域幅Ｂを決定してもよい。さらに、端末が、無線ネットワーク内の実際の無線環境（例えば、チャネルおよびチャネル雑音の高速または低速のフェーディング）に従って当該決定された反復回数の数Ａおよび当該決定されたチャネル帯域幅Ｂに細かな調節を実施し、正しいチャネル帯域幅ａおよび正しい反復回数の数ｂを選択し、反復回数の数ｂだけ当該アップリンク信号をチャネル帯域幅ａ上で送信してもよい。当該方法では、端末が当該アップリンク信号をネットワーク装置に多数回繰り返し送信する必要はなく、端末のシグナリング・オーバヘッドが減る。
【０１０４】
別の態様では、本発明の当該実施形態における端末は、ネットワーク装置と通信するときに複数の変調符号化方式を使用してもよい。端末は、第１のカバレッジ・レベルに従って、端末がアップリンク信号をネットワーク装置に送信するときに使用される変調符号化方式を決定する。例えば、端末により決定されたより高い第１のカバレッジ・レベルは、端末が現在配置された無線チャネル環境が比較的貧弱であり、現在のカバレッジ性能を比較的大きな振幅で増大させる必要があることを示す。したがって、端末は、低次変調方式および符号化方式を比較的高い冗長性で使用して、端末により不適切な変調符号化方式を用いることによって生ずる冗長な送信を回避し、端末のシグナリング・オーバヘッドを低減する。
【０１０５】
当該実施形態で提供するネットワーク装置によれば、端末が、ネットワーク装置により配送されたダウンリンク信号に従って第１のカバレッジ・レベルを決定し、第１のカバレッジ・レベルに従って、端末がアップリンク信号を送信するのに適しアップリンク通信を実施するときに端末により使用しうるアップリンク通信パラメータを決定してもよく、それにより端末のシグナリング・オーバヘッドが減る。
【０１０６】
図４は、本発明に従うネットワーク装置の第２の実施形態の略構造図である。上述の実施形態に基づいて、当該実施形態は、ネットワーク装置が端末により送信された第１のカバレッジ・レベルを受信し、第１のカバレッジ・レベルに従ってリソース・スケジューリングを端末に実施する具体的なプロセスを含む。さらに、ネットワーク装置がさらに処理ユニット２３を含んでもよい。受信ユニット２２はさらに、端末により送信された第１のカバレッジ・レベルを受信するように構成される。処理ユニット２３は、受信ユニット２２が端末により送信された第１のカバレッジ・レベルを受信した後、第１のカバレッジ・レベルに従ってリソース・スケジューリングを端末に実施するように構成される。
【０１０７】
特に、端末の第１のカバレッジ・レベルを決定した後、端末が第１のカバレッジ・レベルをネットワーク装置に送信し、受信ユニット２２は第１のカバレッジ・レベルを受信し、その結果、処理ユニット２３は、第１のカバレッジ・レベルに従ってアップリンクまたはダウンリンク・リソースを計算し、正しいリソース・スケジューリングを端末に実施してもよい。任意選択で、ネットワーク装置がスケジューリング情報を端末に送信してもよい。当該スケジューリング情報がアップリンクまたはダウンリンク・リソースのサイズを含んでもよく、その結果、端末は、アップリンク通信を実施するときに使用すべき時間周波数リソースのサイズを学習する。任意選択で、端末が、第１のカバレッジ・レベルをネットワーク装置に明示的な方式で直接（メッセージ情報要素の方式で直接）送信してもよいか、または第１のカバレッジ・レベルを物理信号特性で運搬し、ネットワーク装置に暗黙の方式で送信してもよい。任意選択で、明示的な送信方式において、第１のカバレッジ・レベルを、ＲＡＣＨで送信されたチャネル要求メッセージを用いることによってネットワーク装置に送信してもよい。暗黙の送信方式においては、端末が、アップリンク送信または他の物理レイヤ処理（例えば、シンボル・ローテーション、信号循環シフト、特殊シーケンスの追加またはスクランブリングのような方式）の反復回数を用いることによって第１のカバレッジ・レベルに関する情報を運搬してもよい。
【０１０８】
本発明の当該実施形態で提供されたネットワーク装置によれば、受信ユニットが、端末により送信された第１のカバレッジ・レベルを受信し、処理ユニットが第１のカバレッジ・レベルに従ってリソース・スケジューリングを端末に実施し、その結果、ネットワーク装置による端末のアップリンクおよびダウンリンク・リソースのスケジューリングはより正確であり、リソース利用が改善される。
【０１０９】
図４を引き続き参照すると、上述の実施形態に基づいて、当該実施形態は、ネットワーク装置が端末へのサービス接続を確立し、サービス信号を端末に送信し、その結果、端末がタイムリに端末のカバレッジ・レベルを更新する具体的なプロセスを含む。さらに、処理ユニット２３はさらに、受信ユニット２２が端末により送信された第１のカバレッジ・レベルを受信した後に端末へのサービス接続を確立するように構成される。送信ユニット２１はさらに、第１のカバレッジ・レベルに従ってサービス信号を端末に繰り返し送信して、端末が、当該繰り返し送信されたサービス信号に従って端末の第２のカバレッジ・レベルを決定するようにするように構成される。
【０１１０】
特に、上述の実施形態の何れか１つにおいて、処理ユニット２３が、受信ユニット２２が端末により送信された第１のカバレッジ・レベルを受信した後にのみ端末とのサービス通信を確立する。
【０１１１】
送信ユニット２１が繰り返し、受信ユニット２２により受信された第１のカバレッジ・レベルに従って当該サービス信号を端末に送信する。当該サービス信号がダウンリンク・データ信号、ダウンリンク音声信号、ダウンリンクビデオ信号等であってもよい。当該サービス信号の反復回数は、端末により報告された第１のカバレッジ・レベルに従って処理ユニット２３によって決定される。当該数がｎである、即ち、端末の第１のカバレッジ・レベルが、ネットワーク装置が当該サービス信号をｎ回だけ配送した後にのみ端末が復号化に成功しうると判定すると仮定する。したがって、処理ユニット２３は、受信ユニット２２により受信された第１のカバレッジ・レベルに従って、当該サービス信号を送信した回数がｎであると判定する。端末は当該サービス信号を復号化する。復号化が成功したとき、端末は、復号化が成功するまでに当該サービス信号を受信した回数を決定する。当該数はｍであり（ｍはｎより小さい）、即ち、この場合、端末は、ネットワーク装置が当該サービス信号をｍ回だけ配送した後に当該サービス信号の復号化に成功しうると仮定する。したがって、端末は、第５の所定の関係を復号化が成功したとき当該サービス信号を受信する回数（即ち、ｍ）とマッチし、端末の第２のカバレッジ・レベルを決定して、端末の元の第１のカバレッジ・レベルを第２のカバレッジ・レベルに更新する。任意選択で、端末が第２のカバレッジ・レベルをネットワーク装置に送信してもよく、その結果、ネットワーク装置は第２のカバレッジ・レベルに従って正しいリソースを端末に割り当て、それにより冗長な送信に起因するリソース無駄を回避する。任意選択で、端末が、第２のカバレッジ・レベルに従ってタイムリに、反復回数、チャネル帯域幅、送信電力、または変調符号化方式のような、ネットワーク装置でサービス通信を実施するとき使用されるアップリンク通信パラメータを調節してもよい。
【０１１２】
本発明の当該実施形態で提供されたネットワーク装置によれば、処理ユニットが、受信ユニットが端末により送信された第１のカバレッジ・レベルを受信した後に端末とのサービス通信を確立し、送信ユニットが第１のカバレッジ・レベルに従ってサービス信号を端末に繰り返し送信し、端末が、当該繰り返し送信されたサービス信号に従って端末の第２のカバレッジ・レベルを決定するようにする。本発明の当該実施形態で提供されたネットワーク装置によれば、端末のカバレッジ・レベルはタイムリに更新され、アップリンク通信パラメータは当該更新されたカバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１１３】
さらに、図４に示す上述の実施形態に基づいて、アップリンク通信パラメータが、反復回数、チャネル帯域幅、または端末により当該アップリンク信号を送信するために使用される変調符号化方式を含むとき、受信ユニット２２はさらに、端末により送信されたアップリンク通信パラメータを受信するように構成され、処理ユニット２３はさらに、当該アップリンク通信パラメータに従って当該アップリンク信号を復号化するように構成される。
【０１１４】
任意選択で、当該アップリンク通信パラメータが端末により当該アップリンク信号を送信するために使用される反復回数であるとき、ネットワーク装置が、当該アップリンク通信パラメータに従って、当該アップリンク信号の復号化に成功するために必要な、端末により送信されたアップリンク信号を復号化する回数を学習してもよい。これは、ネットワーク装置により実施される繰り返しの復号化を回避し、ネットワーク装置の処理オーバヘッドを低減する。
【０１１５】
任意選択で、当該アップリンク通信パラメータが端末により当該アップリンク信号を送信するために使用されるチャネル帯域幅または変調符号化方式であるとき、ネットワーク装置は、当該アップリンク信号の復号化に使用される特定のチャネル帯域幅または特定の変調符号化方式を明確に知っているかもしれない。これはネットワーク装置により実施されるブラインド検出を回避する（即ち、ネットワーク装置が復号化に使用されるチャネル帯域幅または変調符号化方式を知らないとき、ネットワーク装置が端末により使用される全てのチャネル帯域幅または変調符号化方式を用いることによって復号化検出を実施する、即ち、ブラインド検出を端末に実施する）、ネットワーク装置の処理オーバヘッドを低減し、ネットワーク装置の復号化複雑度を削減する。
【０１１６】
本発明の当該実施形態で提供されたネットワーク装置によれば、受信ユニットは、反復回数、チャネル帯域幅、または端末によりアップリンク信号を送信するために使用される変調符号化方式を受信し、その結果処理ユニットが、反復回数、チャネル帯域幅、または端末により当該アップリンク信号を送信するために使用される変調符号化方式に従って当該アップリンク信号を正確に復号化でき、それによりネットワーク装置が復号化を実施するとき処理オーバヘッドおよび複雑度を低減する。
【０１１７】
図５は、本発明に従う端末の第２の実施形態の略構造図である。図５に示すように、端末は、受信器３０、プロセッサ３１、および送信器３２を備える。
【０１１８】
受信器３０は、ネットワーク装置により送信されたダウンリンク信号を受信するように構成される。プロセッサ３１は、当該ダウンリンク信号に従って端末の第１のカバレッジ・レベルを決定し、第１のカバレッジ・レベルに従ってアップリンク通信パラメータを決定するように構成される。送信器３２は、プロセッサ３１により決定されたアップリンク通信パラメータに従ってアップリンク信号をネットワーク装置に送信するように構成される。
【０１１９】
特に、ネットワーク装置は当該ダウンリンク信号を端末に送信する。当該ダウンリンク信号が、ネットワーク装置により配送された任意の信号、例えば、ブロードキャスト信号、共通制御信号、またはサービス信号であってもよい。ネットワーク装置により送信されたダウンリンク信号を受信した後、受信器３０は当該ダウンリンク信号をプロセッサ３１に送信する。プロセッサ３１は、当該ダウンリンク信号に従って端末の第１のカバレッジ・レベルを決定する。任意選択で、プロセッサ３１が、或る期間に送信されたダウンリンク信号を測定または復号化することにより端末の第１のカバレッジ・レベルを決定してもよい。
【０１２０】
第１のカバレッジ・レベルを端末により使用して、現在のカバレッジ性能に対するカバレッジ性能において増大する必要がある値を決定することに留意すべきである。例えば、端末のカバレッジ・レベルが特に、３つのレベル、即ち、それぞれカバレッジ・レベル０、カバレッジ・レベル１、およびカバレッジ・レベル２を含むと仮定する。カバレッジ・レベル０に対応する端末のカバレッジ性能を０ｄＢだけ増大する必要がある（即ち、拡張の必要はない）、カバレッジ・レベル１に対応する端末のカバレッジ性能を０−１０ｄＢだけ増大する必要があり、カバレッジ・レベル２に対応するカバレッジ性能を１０−２０ｄＢだけ増大する必要がある。カバレッジ性能拡張およびシステム設計の複雑度を考慮すると、カバレッジ性能において増大する必要がある最大値のみが端末のカバレッジ性能拡張のターゲットとして考慮される。即ち、端末の第１のカバレッジ・レベルがカバレッジ・レベル１であると判定したとき、プロセッサ３１は、第１のカバレッジ・レベルに従ってアップリンク通信パラメータを決定し、送信器３２はプロセッサ３１により決定されたアップリンク通信パラメータに従って当該アップリンク信号をネットワーク装置に送信する。したがって、端末のカバレッジ性能を１０ｄＢだけ増大させてもよい。当該アップリンク通信パラメータが端末により当該アップリンク信号をネットワーク装置に送信する反復回数であってもよいか、または、端末により当該アップリンク信号をネットワーク装置に送信するための送信電力であってもよいか、または、端末が当該アップリンク信号をネットワーク装置に送信するときに使用されるチャネル帯域幅であってもよいか、または、端末が当該アップリンク信号をネットワーク装置に送信するときに使用される変調符号化方式であってもよい、等である。当該パラメータがカバレッジ性能に関連するならば、当該アップリンク通信パラメータは本発明の当該実施形態では限定されない。任意選択で、上で例示した例に従って、プロセッサ３１が、端末の第１のカバレッジ・レベルがカバレッジ・レベル１であると判定したとき、プロセッサ３１が、当該決定されたアップリンク通信パラメータを用いることによって当該カバレッジ性能を１０ｄＢだけ増大させてもよい。
【０１２１】
先行技術では、無線ネットワークのカバレッジ性能は一般にＨＡＲＱまたはＡＲＱ再送機構を用いることによって高められ、当該ＨＡＲＱまたは当該ＡＲＱはＭＡＣレイヤに基づく送信機構および／またはＲＬＣレイヤに基づく送信機構である。端末は、当該ＨＡＲＱまたはＡＲＱ再送機構の実施において協調して、端末により実施される受信の成功可能性を高めるためのネットワーク装置のＡＣＫ／ＮＡＣＫ応答機構が必要である。当該方法では、エア・インタフェースの対話が頻繁であり、シグナリング・オーバヘッドが大きく、カバレッジ拡張の実行期間は相対的に長く、端末の電力消費は大きい。さらに、通信手続きのリソース、遅延、および複雑度のような因子を考慮して再送の回数は一般に大きな値に設定されないので、無線ネットワークのカバレッジ拡張幅は制限される。さらに、端末は端末が配置されるカバレッジ環境の変化に従ってカバレッジ拡張を効果的にタイムリに調節できず、カバレッジ拡張の実行効率は低い。しかし、本願では、端末は、ネットワーク装置により配送されたダウンリンク信号に従って端末の第１のカバレッジ・レベルを決定し、第１のカバレッジ・レベルを用いることによって、当該アップリンク信号をネットワーク装置に送信するときに使用されるアップリンク通信パラメータを決定する、即ち、端末が当該アップリンク信号をネットワーク装置に繰り返し送信するかどうかを判定するか、または、当該アップリンク信号を送信する反復回数は端末の第１のカバレッジ・レベルによって決定される。ネットワーク装置はＡＣＫ／ＮＡＣＫフィードバックを端末に送信する必要がない（即ち、端末はＡＣＫフィードバックまたはＮＡＣＫフィードバックを待つ必要がない）。したがって、無線ネットワークのカバレッジ拡張の実行期間は比較的短く、端末の電力消費およびシグナリング・オーバヘッドが減る。さらに、柔軟な送信反復回数は無線ネットワークのカバレッジ性能の比較的大きな増加につながる。さらに、端末は、当該ダウンリンク信号に従って端末のカバレッジ・レベルを直接決定し、当該カバレッジ・レベルに従って当該アップリンク通信パラメータを効果的にタイムリに調節し、その結果、端末はカバレッジ拡張を効果的にタイムリに調節でき、それによりカバレッジ拡張の実行効率が改善され、アップリンク通信の性能が高まる。
【０１２２】
本発明の当該実施形態で提供された端末によれば、受信器は、ネットワーク装置により送信されたダウンリンク信号を受信し、プロセッサは、当該ダウンリンク信号に従って端末の第１のカバレッジ・レベルを決定し、第１のカバレッジ・レベルに従ってアップリンク通信パラメータを決定し、送信器アップリンク信号をネットワーク装置に送信する当該アップリンク通信パラメータに従って、無線ネットワークのカバレッジ拡張を実装する。本発明の当該実施形態で提供された端末によれば、当該アップリンク信号の受信に成功する可能性が高まる。したがって、ネットワーク装置はＡＣＫフィードバックまたはＮＡＣＫフィードバックを端末に送信する必要がなく、その結果、端末とネットワーク装置の間のエア・インタフェースのオーバヘッドが減り、端末がカバレッジ拡張を実施する期間が短縮され、端末の電力消費が減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１２３】
さらに、当該ダウンリンク信号が、ダウンリンク同期チャネル（Ｓｙｎｃｈｒｏｎｉｚａｔｉｏｎ  Ｃｈａｎｎｅｌ、以降ＳＣＨと称する）で送信された第１の信号、共通転送チャネル（Ｃｏｍｍｏｎ  ｔｒａｎｓｐｏｒｔ  Ｃｈａｎｎｅｌ、以降ＣＣＨと称する）で送信された第２の信号、ブロードキャスト制御チャネル（Ｂｒｏａｄｃａｓｔ  Ｃｏｎｔｒｏｌ  Ｃｈａｎｎｅｌ、以降ＢＣＣＨと称する）で送信された第３の信号、ダウンリンク同期に使用される繰り返し送信されたシーケンス信号、セル・チャネル測定に使用される基準信号、またはＢＣＣＨキャリアで送信された信号のうち少なくとも１つを含んでもよい。
【０１２４】
任意選択で、ダウンリンク同期に使用される繰り返し送信されたシーケンス信号がプライマリ同期信号（Ｐｒｉｍａｒｙ  Ｓｙｎｃｈｒｏｎｉｚａｔｉｏｎ  Ｓｉｇｎａｌ、以降ＰＳＳと称する）であってもよいか、またはセカンダリ同期信号（Ｓｅｃｏｎｄａｒｙ  Ｓｙｎｃｈｒｏｎｉｚａｔｉｏｎ  Ｓｉｇｎａｌ、以降ＳＳＳと称する）であってもよい。セル・チャネル測定に使用される基準信号がセル固有の基準信号（Ｃｅｌｌ−ｓｐｅｃｉｆｉｃ  Ｒｅｆｅｒｅｎｃｅ  Ｓｉｇｎａｌｓ、以降ＣＲＳと称する）であってもよい。
【０１２５】
任意選択で、ダウンリンク信号が第１の信号、第２の信号、第３の信号、ダウンリンク同期に使用される繰り返し送信されたシーケンス信号、セル・チャネル測定に使用される基準信号、およびＢＣＣＨキャリアで送信された信号から成る複数の信号を含むとき、端末が、各ダウンリンク信号に従って１つの第１のカバレッジ・レベルを決定し、次いで対応して、複数の第１のカバレッジ・レベルを分析または計算して、最も正確な端末の第１のカバレッジ・レベルを取得してもよい。ここで、正確な第１のカバレッジ・レベルを取得できるならば、当該複数の第１のカバレッジ・レベルの対応する分析または計算が、重み付き平均、算術平均、または機能マッピングのような任意の計算であってもよいことに留意すべきである。
【０１２６】
図５に示す上述の実施形態に基づいて、当該実施形態の第１の可能な実装方式では、当該実施形態は、ダウンリンク信号が第１の信号、第２の信号、または第３の信号の何れか１つであるとき端末がカバレッジ拡張を実施する具体的なプロセスを含む。上述の実施形態に基づいて、プロセッサ３１は特に、当該ダウンリンク信号の復号化に成功したとき、第１の所定の関係および受信器３０により当該ダウンリンク信号を受信した回数に従って端末の第１のカバレッジ・レベルを決定するように構成される。第１の所定の関係は、第１のカバレッジ・レベルと端末が当該ダウンリンク信号の復号化に成功したときの当該ダウンリンク信号を受信した回数との間のマッピング関係を含む。
【０１２７】
特に、当該ダウンリンク信号がＳＣＨで送信された第１の信号である場合、第１の信号を最初に受信したとき、受信器３０が、第１の信号をプロセッサ３１に送信する。プロセッサ３１が第１の信号を復号化し、復号化が成功した場合、第１の信号の反復回数は１であると判定し、復号化に失敗した場合には、第１の信号の復号化に成功するまで、次の第１の信号および復号化に失敗した以前の第１の信号の組合せにソフト結合を実施し、復号化を再度実施する、等である。第１の信号の復号化に成功するまでに第１の信号を受信する回数が決定される。
【０１２８】
プロセッサ３１は第１の信号の決定された反復回数を第１の所定の関係とマッチして、端末の第１のカバレッジ・レベルを決定する。第１の所定の関係が複数の所定の閾値範囲を含んでもよく、各所定の閾値範囲は１つのカバレッジ・レベルに対応する。任意選択で、第１の所定の関係がマッピング・テーブルの形であってもよい。詳細については、上述の表１に示す例を参照してもよく、詳細についてはここでは再度説明しない。端末の第１のカバレッジ・レベルを決定した後、プロセッサ３１は、第１のカバレッジ・レベルに従って、当該アップリンク信号をネットワーク装置に送信するときに使用されるアップリンク通信パラメータを決定する。
【０１２９】
本発明の当該実施形態で提供された端末によれば、受信器は、ネットワーク装置により送信されたダウンリンク信号を受信し、プロセッサは、復号化が成功したとき第１の所定の関係および当該受信器により当該ダウンリンク信号を受信した回数に従って端末の第１のカバレッジ・レベルを決定し、第１のカバレッジ・レベルに従って、端末がアップリンク信号をネットワーク装置に送信するとき使用されるアップリンク通信パラメータを決定し、その結果、送信器は当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１３０】
図５に示す上述の実施形態に基づいて、当該実施形態の第２の可能な実装方式では、当該実施形態は、ダウンリンク信号がダウンリンク同期に使用される繰り返し送信されたシーケンス信号であるとき端末がカバレッジ拡張を実施する具体的なプロセスを含む。ダウンリンク同期に使用される繰り返し送信されたシーケンス信号（例えば、ＰＳＳまたはＳＳＳ）は自己反復の特性を有する。当該実施形態における解決策は新たなエア・インタフェースのシナリオに適用可能である。図５に示す上述の実施形態に基づいて、プロセッサ３１は特に、当該ダウンリンク信号を受信した時点に、エネルギ蓄積を受信器３０により受信された全てのダウンリンク信号に実施し、エネルギ蓄積の後に取得された信号を当該ダウンリンク信号の所定の基準信号と相関付けて、当該ダウンリンク信号の相関値を取得し、当該ダウンリンク信号の相関値が所定の閾値を超過したとき、第２の所定の関係および受信器３０により当該ダウンリンク信号を受信した回数に従って端末の第１のカバレッジ・レベルを決定するように構成される。第２の所定の関係は、第１のカバレッジ・レベルと当該ダウンリンク信号の相関値が当該所定の閾値を超過したときの端末により当該ダウンリンク信号を受信した回数との間のマッピング関係を含む。
【０１３１】
特に、ダウンリンク信号がＰＳＳであることを１例として使用する（当該ダウンリンク信号がＳＳＳであるケースについては、以下の実行プロセスを参照してもよい）。当該ＰＳＳを最初に受信したとき、受信器３０が当該ＰＳＳをプロセッサ３１に送信する。プロセッサ３１は当該ＰＳＳと端末内部で予め決められた当該ＰＳＳの基準信号とを相関付けて（ネットワーク装置により送信され端末により受信されたＰＳＳは無線チャネルを通るＰＳＳであり、当該ＰＳＳはチャネル減衰または干渉のような因子により実際に影響されておりネットワーク装置により端末にもともと送信された理想的なＰＳＳではないが、端末内部で予め決められた当該ＰＳＳの基準信号は当該無線チャネルを通過しない理想的なＰＳＳである）、当該ＰＳＳの相関値を取得し、当該ＰＳＳの相関値が当該所定の閾値を超過したかどうかを判定する。当該所定の閾値を超過したとき、プロセッサ３１は当該ＰＳＳの反復回数が１であると判定する。当該閾値を超過したとき、プロセッサ３１は、当該ＰＳＳの相関値が当該所定の閾値を超過したとプロセッサ３１が判定するまで、次の受信されたＰＳＳおよび以前のＰＳＳにエネルギ蓄積を実施し、蓄積後に取得されたＰＳＳの相関値を計算し（即ち、蓄積後に取得されたＰＳＳおよび端末内部で予め決定されたＰＳＳの基準信号が相関付けられる）、当該相関値が当該所定の閾値を超過したかどうかを判定する、等である。当該ＰＳＳの相関値が当該所定の閾値より大きくなるまでに当該ＰＳＳを受信する回数が決定される。
【０１３２】
プロセッサ３１は、当該ＰＳＳの決定された相関値がより大きいとき第２の所定の関係を受信器３０により当該ＰＳＳを受信する回数とマッチし、端末の第１のカバレッジ・レベルを決定する。第２の所定の関係が複数の所定の閾値範囲を含んでもよく、各所定の閾値範囲は１つのカバレッジ・レベルに対応する。任意選択で、第２の所定の関係がマッピング・テーブルの形であってもよい。詳細については、上述の表２に示す例を参照してもよく、詳細についてはここでは再度説明しない。端末の第１のカバレッジ・レベルを決定した後、プロセッサ３１は、第１のカバレッジ・レベルに従って、当該アップリンク信号をネットワーク装置に送信するときに使用されるアップリンク通信パラメータを決定する。
【０１３３】
本発明の当該実施形態で提供された端末によれば、受信器は、ネットワーク装置により送信されたダウンリンク信号を受信し、プロセッサは、当該ダウンリンク信号の相関値が所定の閾値を超過したとき第２の所定の関係および当該受信器により当該ダウンリンク信号を受信した回数に従って端末の第１のカバレッジ・レベルを決定し、第１のカバレッジ・レベルに従って、端末がアップリンク信号をネットワーク装置に送信するとき使用されるアップリンク通信パラメータを決定し、その結果、送信器は当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１３４】
図５に示す上述の実施形態に基づいて、当該実施形態の第３の可能な実装方式では、当該実施形態は、当該ダウンリンク信号が当該ＢＣＣＨキャリアで送信された信号であるとき端末がカバレッジ拡張を実施する具体的なプロセスを含む。図１に示す上述の実施形態に基づいて、プロセッサ３１は特に、受信器３０により所定の期間に受信されたダウンリンク信号の受信信号強度を測定し、当該所定の期間に測定された当該ダウンリンク信号の受信信号強度に従って第１の受信信号強度を決定し、第１の受信信号強度および第３の所定の関係に従って端末の第１のカバレッジ・レベルを決定するように構成される。第３の所定の関係は、第１の受信信号強度と第１のカバレッジ・レベルの間のマッピング関係を含む。
【０１３５】
特に、ネットワーク装置が、当該所定の期間に当該ＢＣＣＨキャリアで送信された信号を端末に送信し、即ち、当該信号はＢＣＣＨで運搬され、端末に送信される。受信器３０は、プロセッサ３１に、当該ＢＣＣＨキャリアで送信された受信信号を送信する。プロセッサ３１は当該ＢＣＣＨキャリアで送信された信号の受信信号強度を測定し、当該ＢＣＣＨキャリアで送信された信号の受信信号強度に従う計算により第１の受信信号強度を取得する。任意選択で、第１の受信信号強度が当該ＢＣＣＨキャリアで送信された信号の平均受信信号強度であってもよいか、または、プロセッサ３１によって当該所定の期間に全てのＢＣＣＨキャリアで送信された信号の受信信号強度に実施された任意の計算により取得された受信信号強度であってもよい。
【０１３６】
プロセッサ３１は当該決定された第１の受信信号強度を第３の所定の関係とマッチして、端末の第１のカバレッジ・レベルを決定する。第３の所定の関係が複数の所定の閾値範囲を含んでもよく、各所定の閾値範囲は１つのカバレッジ・レベルに対応する。任意選択で、第３の所定の関係がマッピング・テーブルの形であってもよい。詳細については、上述の表３に示す例を参照してもよく、詳細についてはここでは再度説明しない。端末の第１のカバレッジ・レベルを決定した後、プロセッサ３１は、第１のカバレッジ・レベルに従って、当該アップリンク信号をネットワーク装置に送信するときに使用されるアップリンク通信パラメータを決定する。
【０１３７】
本発明の当該実施形態で提供された端末によれば、受信器は、ネットワーク装置により送信されたダウンリンク信号を受信し、プロセッサは所定の期間に受信された各ダウンリンク信号の受信信号強度を測定し、これらのダウンリンク信号の第１の受信信号強度を取得して、第１の受信信号強度および第３の所定の関係に従って端末の第１のカバレッジ・レベルを決定し、第１のカバレッジ・レベルに従って、端末がアップリンク信号をネットワーク装置に送信するとき使用されるアップリンク通信パラメータを決定する。したがって、送信器は当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１３８】
図５に示す上述の実施形態に基づいて、当該実施形態の第４の可能な実装方式では、当該実施形態は、ダウンリンク信号がセル・チャネル測定に使用される基準信号であるとき端末がカバレッジ拡張を実施する具体的なプロセスを含む。図１に示す上述の実施形態に基づいて、プロセッサ３１は特に、受信器３０により所定の期間に受信したダウンリンク信号に従って端末とネットワーク装置の間の経路損失を測定し、当該所定の期間に測定された全ての経路損失に従って端末とネットワーク装置の間の第１の経路損失を決定し、第１の経路損失および第４の所定の関係に従って端末の第１のカバレッジ・レベルを決定するように構成される。第４の所定の関係は、第１の経路損失と第１のカバレッジ・レベルとの間のマッピング関係を含む。
【０１３９】
特に、ＣＲＳを１例として使用する。ネットワーク装置が繰り返し、当該ＣＲＳを所定の期間に端末に送信する。受信器３０が、各受信されたＣＲＳ信号をプロセッサ３１に送信する。プロセッサ３１は、受信器３０により当該所定の期間に受信された各ＣＲＳに従って端末とネットワーク装置との間の経路損失（１つのＣＲＳは１つの経路損失に対応する）を測定し、これらの経路損失に従う計算により端末とネットワーク装置との間の第１の経路損失を取得する。任意選択で、第１の経路損失が端末とネットワーク装置との間の平均経路損失であってもよいか、またはプロセッサ３１により端末とネットワーク装置の間の全ての経路損失に所定の期間に実施された任意の計算により取得された経路損失であってもよい。
【０１４０】
プロセッサ３１は当該決定された第１の経路損失を第４の所定の関係とマッチして、端末の第１のカバレッジ・レベルを決定する。第４の所定の関係が複数の所定の閾値範囲を含んでもよく、各所定の閾値範囲は異なるカバレッジ・レベルに対応する。任意選択で、第４の所定の関係がマッピング・テーブルの形であってもよい。詳細については、上述の表４を参照してもよく、詳細についてはここでは再度説明しない。端末の第１のカバレッジ・レベルを決定した後、プロセッサ３１は、第１のカバレッジ・レベルに従って、当該アップリンク信号をネットワーク装置に送信するときに使用されるアップリンク通信パラメータを決定する。
【０１４１】
本発明の当該実施形態で提供された端末によれば、受信器は、ネットワーク装置により送信されたダウンリンク信号を受信し、プロセッサは、当該受信器により所定の期間に受信された各ＣＲＳに従って端末とネットワーク装置の間の経路損失を測定して、端末と端末装置の間の第１の経路損失を測定し、第１の経路損失および第４の所定の関係に従って端末の第１のカバレッジ・レベルを決定して、第１のカバレッジ・レベルに従って、端末がアップリンク信号をネットワーク装置に送信するとき使用されるアップリンク通信パラメータを決定する。したがって、送信器は当該アップリンク通信パラメータに従って当該アップリンク信号をネットワーク装置に送信して、無線ネットワークのカバレッジ拡張を実装する。無線ネットワークのカバレッジ拡張を実施するとき、本発明の当該実施形態で提供された端末は、端末のカバレッジ・レベルに従って決定されたアップリンク通信パラメータを用いることによって、当該アップリンク信号をネットワーク装置に送信する。これにより、端末により盲目的に再送の回数を増大させることにより生ずる冗長な反復回数が回避され、無線ネットワークのカバレッジ性能が高まり、端末の電力消費が減る。さらに、ネットワーク装置はＡＣＫフィードバックまたはＮＡＣＫフィードバックを端末に送信する必要がなく、および端末とネットワーク装置の間のエア・インタフェースのオーバヘッドが減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１４２】
上述の可能な実装方式の何れか１つに基づいて、本発明の当該実施形態の第５の可能な実装方式では、当該実施形態は、端末が当該決定された第１のカバレッジ・レベルをネットワーク装置に送信し、その結果、ネットワーク装置が正しいリソース・スケジューリングを端末に実施する具体的なプロセスを含む。送信器３２はさらに、第１のカバレッジ・レベルをネットワーク装置に送信するように構成される。
【０１４３】
特に、当該ダウンリンク信号に従って端末の第１のカバレッジ・レベルを決定した後、プロセッサ３１が、送信器３２を用いることによって、第１のカバレッジ・レベルをネットワーク装置に送信する。任意選択で、第１のカバレッジ・レベルを明示的な方式で直接（メッセージ情報要素の方式で直接）ネットワーク装置に送信してもよいか、または、第１のカバレッジ・レベルを物理信号で運搬し暗黙の方式でネットワーク装置に送信してもよい。任意選択で、明示的な送信方式において、第１のカバレッジ・レベルを、ＲＡＣＨで送信されたチャネル要求メッセージを用いることによってネットワーク装置に送信してもよい。暗黙の送信方式においては、端末が、当該アップリンク信号または他の物理レイヤ処理（例えば、シンボル・ローテーション、信号循環シフト、特殊シーケンスの追加またはスクランブリングのような方式）を送信する反復回数を用いることによって、第１のカバレッジ・レベルに関する情報を運搬してもよい。
【０１４４】
第１のカバレッジ・レベルを受信した後、ネットワーク装置が正しいリソース・スケジューリングを端末のアップリンクおよびダウンリンク・リソースに実施する。
【０１４５】
本発明の当該実施形態で提供された端末によれば、ダウンリンク信号に従って端末の第１のカバレッジ・レベルを決定した後、プロセッサが、送信器を用いることによって、第１のカバレッジ・レベルをネットワーク装置に送信し、その結果、ネットワーク装置による端末のアップリンクおよびダウンリンク・リソースのスケジューリングはより正確であり、リソース利用が改善される。
【０１４６】
上述の可能な実装方式の何れか１つに基づいて、本発明の当該実施形態の第６の可能な実装方式では、当該実施形態は、端末がカバレッジ・レベルを更新する具体的なプロセスを含む。さらに、プロセッサ３１はさらに、ネットワーク装置へのサービス接続を確立するように構成される。受信器３０はさらに、ネットワーク装置により繰り返し送信されたサービス信号を受信するように構成され、当該サービス信号の反復回数は、端末の第１のカバレッジ・レベルに従ってネットワーク装置によって決定される。プロセッサ３１はさらに、第５の所定の関係および当該サービス信号の復号化に成功したときに当該サービス信号を受信した回数に従って、端末の第２のカバレッジ・レベルを決定するように構成される。第５の所定の関係は、第２のカバレッジ・レベルと端末が当該サービス信号の復号化に成功したときの当該サービス信号を受信した回数との間のマッピング関係を含む。
【０１４７】
特に、上述の実施形態の何れか１つにおいて、端末は、端末の第１のカバレッジ・レベルを決定した後にのみサービス信号通信をネットワーク装置で実施する。当該サービス信号がダウンリンク・データ信号であってもよい。
【０１４８】
受信器３０は、ネットワーク装置により繰り返し送信されたサービス信号を受信する。当該サービス信号の反復回数は、送信器３２により報告された端末の第１のカバレッジ・レベルに従ってネットワーク装置によって決定される。当該数がｎである、即ち、端末の第１のカバレッジ・レベルは、当該サービス信号がｎ回繰り返された後にのみ端末が復号化の実施に成功しうると判定すると仮定する。したがって、ネットワーク装置により当該サービス信号を送信する回数はｎである。受信器３０が、全ての受信されたサービス信号をプロセッサ３１に送信する。プロセッサ３１は当該サービス信号を復号化する。復号化が成功したとき、当該プロセッサは復号化が成功するまで当該サービス信号を受信した回数を記録する。当該数はｍである（ｍはｎより小さい）、即ち、この場合、当該サービス信号がｍ回繰り返された後にのみ端末が当該サービス信号の復号化に成功しうると仮定する。したがって、プロセッサ３１は、第５の所定の関係を復号化が成功したとき当該サービス信号を受信する回数（即ち、ｍ）とマッチし、端末の第２のカバレッジ・レベルを決定して、端末の元の第１のカバレッジ・レベルを第２のカバレッジ・レベルに更新する。任意選択で、端末が送信器３２を用いることによって第２のカバレッジ・レベルをネットワーク装置に送信してもよく、その結果、ネットワーク装置は第２のカバレッジ・レベルに従って正しいリソースを端末に割り当て、それにより冗長な送信に起因するリソース無駄を回避する。任意選択で、端末が、第２のカバレッジ・レベルに従ってタイムリに、反復回数、チャネル帯域幅、送信電力、または変調符号化方式のような、ネットワーク装置でサービス通信を実施するとき使用されるアップリンク通信パラメータを調節してもよい。
【０１４９】
本発明の当該実施形態で提供された端末によれば、受信器は、ネットワーク装置により繰り返し送信されたサービス信号を受信する。当該サービス信号の反復回数は、端末の第１のカバレッジ・レベルに従ってネットワーク装置によって決定される。プロセッサは、第５の所定の関係および復号化が成功したとき当該サービス信号を受信した回数に従って端末の第２のカバレッジ・レベルを決定する。本発明の当該実施形態で提供された端末によれば、端末のカバレッジ・レベルはタイムリに更新され、アップリンク通信パラメータは当該更新されたカバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１５０】
任意選択で、上述の実施形態の何れか１つに基づいて、端末の第１のカバレッジ・レベルに従って端末によって決定されるアップリンク通信パラメータが、反復回数、チャネル帯域幅、当該送信電力、または端末が当該アップリンク信号を送信するときに使用される変調符号化方式のうち少なくとも１つであってもよい。
【０１５１】
端末が複数のタイプのチャネル帯域幅を使用してネットワーク装置と通信してもよいので、ここでは、プロセッサ３１は、第１のカバレッジ・レベルに従って、当該端末が当該アップリンク信号をネットワーク装置に送信するときに使用されるチャネル帯域幅を決定し、その結果、送信器３２が当該決定されたチャネル帯域幅を用いることによって、当該アップリンク信号をネットワーク装置に所定の反復回数だけ送信してもよいことに留意すべきである。当該所定の反復回数と端末により当該アップリンク信号を送信するために使用される決定されたチャネル帯域幅との間には対応関係がある。例えば、送信器３２により当該アップリンク信号を送信するために使用されるより狭いチャネル帯域幅は、送信器３２により送信されたアップリンク信号のより集中したエネルギにつながり、したがってより小さな所定の反復回数につながる。したがって、端末が当該アップリンク信号を比較的適切な反復回数だけネットワーク装置に送信でき、端末のシグナリング・オーバヘッドが減る。
【０１５２】
別の態様では、プロセッサ３１が、当該決定された第１のカバレッジ・レベルに従って、端末が当該アップリンク信号をネットワーク装置に送信するときに使用されるチャネル帯域幅および当該反復回数を決定してもよい。即ち、プロセッサ３１は同時に、第１のカバレッジ・レベルに従って、端末が当該アップリンク信号を送信するのに適したチャネル帯域幅および反復回数を決定する。ここで決定された当該チャネル帯域幅および当該反復回数は第１のカバレッジ・レベル、当該反復回数、および当該チャネル帯域幅に従ってプロセッサ３１により包括的に考慮される。例えば、プロセッサ３１が、第１のカバレッジ・レベルに従って反復回数の数Ａを決定してもよいか、または、第１のカバレッジ・レベルに従ってチャネル帯域幅Ｂを決定してもよい。さらに、プロセッサ３１が、無線ネットワーク内の実際の無線環境（例えば、チャネルおよびチャネル雑音の高速または低速のフェーディング）に従って当該決定された反復回数の数Ａおよび当該決定されたチャネル帯域幅Ｂに細かな調節を実施し、正しいチャネル帯域幅ａおよび正しい反復回数の数ｂを選択し、反復回数の数ｂだけ当該アップリンク信号をチャネル帯域幅ａ上で送信してもよい。当該方法では、端末が当該アップリンク信号をネットワーク装置に多数回繰り返し送信する必要はなく、端末のシグナリング・オーバヘッドが減る。
【０１５３】
別の態様では、本発明の当該実施形態における端末は、ネットワーク装置と通信するときに複数の変調符号化方式を使用してもよい。プロセッサ３１は、第１のカバレッジ・レベルに従って、端末がアップリンク信号をネットワーク装置に送信するときに使用される変調符号化方式を決定する。例えば、端末により決定されたより高い第１のカバレッジ・レベルは、端末が現在配置された無線チャネル環境が比較的貧弱であり、現在のカバレッジ性能を比較的大きな振幅で増大させる必要があることを示す。したがって、端末は、低次変調方式および符号化方式を比較的高い冗長性で使用して、端末により不適切な変調符号化方式を用いることによって生ずる冗長な送信を回避し、端末のシグナリング・オーバヘッドを低減する。
【０１５４】
当該実施形態で提供する端末によれば、アップリンク通信を実施するとき、端末が、端末がアップリンク信号を送信するのに適したアップリンク通信パラメータを使用してもよく、それにより端末のシグナリング・オーバヘッドが減る。
【０１５５】
図６は、本発明に従うネットワーク装置の第３の実施形態の略構造図である。図６に示すように、ネットワーク装置は送信器４１および受信器４２を含む。送信器４１はダウンリンク信号を端末に送信するように構成される。受信器４２は、端末により決定されたアップリンク通信パラメータに従って端末により送信されたアップリンク信号を受信するように構成される。当該アップリンク通信パラメータは、第１のカバレッジ・レベルに従って端末によって決定され、第１のカバレッジ・レベルは、当該ダウンリンク信号に従って端末によって決定される。
【０１５６】
特に、送信器４１は当該ダウンリンク信号を端末に送信する。当該ダウンリンク信号が、ネットワーク装置により配送された任意の信号、例えば、ブロードキャスト信号、共通制御信号、またはサービス信号であってもよい。ネットワーク装置により送信されたダウンリンク信号を受信した後、端末は、当該ダウンリンク信号に従って端末の第１のカバレッジ・レベルを決定する。任意選択で、端末が、或る期間に繰り返し送信されたダウンリンク信号を測定または復号化することによって端末の第１のカバレッジ・レベルを決定してもよい。
【０１５７】
第１のカバレッジ・レベルが、カバレッジ性能において増大する必要がある値に対応してもよい。例えば、端末のカバレッジ・レベルが特に、３つのレベル、即ち、それぞれカバレッジ・レベル０、カバレッジ・レベル１、およびカバレッジ・レベル２を含んでもよいと仮定する。カバレッジ・レベル０に対応するカバレッジ性能を０ｄＢだけ増大する必要がある（即ち、拡張の必要はない）、カバレッジ・レベル１に対応するカバレッジ性能を０−１０ｄＢだけ増大する必要があり、カバレッジ・レベル２に対応するカバレッジ性能を１０−２０ｄＢだけ増大する必要がある。カバレッジ性能拡張およびシステム設計の複雑度を考慮すると、カバレッジ性能において増大する必要がある最大値のみが端末のカバレッジ性能拡張のターゲットとして考慮される。即ち、端末の第１のカバレッジ・レベルがカバレッジ・レベル１であると判定したとき、端末が、第１のカバレッジ・レベルに従って構成を実施すべきアップリンク通信パラメータを決定してもよく、その結果受信器４２が、当該アップリンク通信パラメータに従って端末により送信されたアップリンク信号を受信してもよい。したがって、カバレッジ性能を１０ｄＢだけ増大させてもよい。当該アップリンク通信パラメータが端末により当該アップリンク信号をネットワーク装置に送信する反復回数であってもよいか、または、端末により当該アップリンク信号をネットワーク装置に送信するための電力であってもよいか、または端末が当該アップリンク信号をネットワーク装置に送信するときに使用されるチャネル帯域幅であってもよいか、または、端末が当該アップリンク信号をネットワーク装置に送信するときに使用される変調符号化方式であってもよい、等である。当該パラメータがカバレッジ性能に関連するならば、当該アップリンク通信パラメータは本発明の当該実施形態では限定されない。任意選択で、上で例示した例に従って、端末の第１のカバレッジ・レベルがカバレッジ・レベル１であると判定したとき、端末が、当該カバレッジ性能を１０ｄＢだけ増大させてもよい。
【０１５８】
先行技術では、無線ネットワークのカバレッジ性能は一般にＨＡＲＱまたはＡＲＱ再送機構を用いることによって高められ、当該ＨＡＲＱまたは当該ＡＲＱはＭＡＣレイヤに基づく送信機構および／またはＲＬＣレイヤに基づく送信機構である。端末は、当該ＨＡＲＱまたはＡＲＱ再送機構の実施において協調して、端末により実施される受信の成功可能性を高めるためのネットワーク装置のＡＣＫ／ＮＡＣＫ応答機構が必要である。当該方法では、エア・インタフェースの対話が頻繁であり、シグナリング・オーバヘッドが大きく、カバレッジ拡張の実行期間は相対的に長く、端末の電力消費は大きい。さらに、通信手続きのリソース、遅延、および複雑度のような因子を考慮して再送の回数は一般に大きな値に設定されないので、無線ネットワークのカバレッジ拡張幅は制限される。さらに、端末は端末が配置されるカバレッジ環境の変化に従ってカバレッジ拡張を効果的にタイムリに調節できず、カバレッジ拡張の実行効率は低い。しかし、本願では、端末は、ネットワーク装置により配送されたダウンリンク信号に従って端末の第１のカバレッジ・レベルを決定し、第１のカバレッジ・レベルを用いることによって、当該アップリンク信号をネットワーク装置に送信するときに使用されるアップリンク通信パラメータを決定する、即ち、端末が当該アップリンク信号をネットワーク装置に繰り返し送信するかどうかを判定するか、または、当該アップリンク信号を送信する反復回数は端末の第１のカバレッジ・レベルによって決定される。ネットワーク装置はＡＣＫ／ＮＡＣＫフィードバックを端末に送信する必要がない（即ち、端末はＡＣＫフィードバックまたはＮＡＣＫフィードバックを待つ必要がない）。したがって、無線ネットワークのカバレッジ拡張の実行期間は比較的短く、端末の電力消費およびシグナリング・オーバヘッドが減る。さらに、柔軟な送信反復回数は無線ネットワークのカバレッジ性能の比較的大きな増加につながる。さらに、端末は、当該ダウンリンク信号に従って端末のカバレッジ・レベルを直接決定し、当該カバレッジ・レベルに従って当該アップリンク通信パラメータを効果的にタイムリに調節し、その結果、端末はカバレッジ拡張を効果的にタイムリに調節でき、それによりカバレッジ拡張の実行効率が改善され、アップリンク通信の性能が高まる。
【０１５９】
本発明の当該実施形態で提供されたネットワーク装置によれば、送信器がダウンリンク信号を端末に送信し、その結果、端末は、当該ダウンリンク信号に従って端末の第１のカバレッジ・レベルを決定し、第１のカバレッジ・レベルに従ってアップリンク通信パラメータを決定する。したがって、受信器が、当該決定されたアップリンク通信パラメータに従って端末により送信されたアップリンク信号を受信し、無線ネットワークのカバレッジ拡張を実装してもよい。本発明の当該実施形態で提供されたネットワーク装置によれば、当該アップリンク信号の受信に成功する可能性が高まる。したがって、ネットワーク装置はＡＣＫフィードバックまたはＮＡＣＫフィードバックを端末に送信する必要がなく、その結果、端末とネットワーク装置の間のエア・インタフェースのオーバヘッドが減り、端末がカバレッジ拡張を実施する期間が短縮され、端末の電力消費が減る。さらに、本発明の当該実施形態で提供された端末を用いることによって、端末のカバレッジ・レベルがダウンリンク信号に従って直接決定され、当該アップリンク通信パラメータが当該カバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１６０】
さらに、当該ダウンリンク信号は、ＳＣＨで送信された第１の信号、ＣＣＨで送信された第２の信号、ＢＣＣＨで送信された第３の信号、ダウンリンク同期に使用される繰り返し送信されたシーケンス信号、セル・チャネル測定に使用される基準信号、またはＢＣＣＨキャリアで送信された信号のうち１つを含む。
【０１６１】
任意選択で、ダウンリンク同期に使用される繰り返し送信されたシーケンス信号がＰＳＳであってもよいか、または、ＳＳＳであってもよい。セル・チャネル測定に使用される基準信号がＣＲＳであってもよい。
【０１６２】
さらに、当該アップリンク通信パラメータが、反復回数、チャネル帯域幅、送信電力、または端末により当該アップリンク信号を送信するために使用される変調符号化方式であってもよい。
【０１６３】
端末が複数のタイプのチャネル帯域幅を使用してネットワーク装置と通信してもよいので、ここでは、端末は、第１のカバレッジ・レベルに従って、当該端末が当該アップリンク信号をネットワーク装置に送信するときに使用されるチャネル帯域幅を決定し、その結果、端末が当該決定されたチャネル帯域幅を用いることによって、当該アップリンク信号をネットワーク装置に所定の反復回数だけ送信してもよいことに留意すべきである。当該所定の反復回数と端末により当該アップリンク信号を送信するために使用される決定されたチャネル帯域幅との間には対応関係がある。例えば、端末により当該アップリンク信号を送信するために使用されるより狭いチャネル帯域幅は端末により送信されたアップリンク信号のより集中したエネルギにつながり、したがってより小さな所定の反復回数につながる。したがって、端末が当該アップリンク信号を比較的適切な反復回数だけネットワーク装置に送信でき、端末のシグナリング・オーバヘッドが減る。
【０１６４】
別の態様では、端末が、当該決定された第１のカバレッジ・レベルに従って、端末が当該アップリンク信号をネットワーク装置に送信するときに使用されるチャネル帯域幅および当該反復回数を決定してもよい。即ち、端末は同時に、第１のカバレッジ・レベルに従って、端末が当該アップリンク信号を送信するのに適したチャネル帯域幅および反復回数を決定する。ここで決定された当該チャネル帯域幅および当該反復回数は第１のカバレッジ・レベル、当該反復回数、および当該チャネル帯域幅に従って端末により包括的に考慮される。例えば、端末が、第１のカバレッジ・レベルに従って反復回数の数Ａを決定してもよいか、または、第１のカバレッジ・レベルに従ってチャネル帯域幅Ｂを決定してもよい。さらに、端末が、無線ネットワーク内の実際の無線環境（例えば、チャネルおよびチャネル雑音の高速または低速のフェーディング）に従って当該決定された反復回数の数Ａおよび当該決定されたチャネル帯域幅Ｂに細かな調節を実施し、正しいチャネル帯域幅ａおよび正しい反復回数の数ｂを選択し、反復回数の数ｂだけ当該アップリンク信号をチャネル帯域幅ａ上で送信してもよい。当該方法では、端末が当該アップリンク信号をネットワーク装置に多数回繰り返し送信する必要はなく、端末のシグナリング・オーバヘッドが減る。
【０１６５】
別の態様では、本発明の当該実施形態における端末は、ネットワーク装置と通信するときに複数の変調符号化方式を使用してもよい。端末は、第１のカバレッジ・レベルに従って、端末が当該アップリンク信号をネットワーク装置に送信するときに使用される変調符号化方式を決定する。例えば、端末により決定されたより高い第１のカバレッジ・レベルは、端末が現在配置された無線チャネル環境が比較的貧弱であり、現在のカバレッジ性能を比較的大きな振幅で増大させる必要があることを示す。したがって、端末は、低次変調方式および符号化方式を比較的高い冗長性で使用して、端末により不適切な変調符号化方式を用いることによって生ずる冗長な送信を回避し、端末のシグナリング・オーバヘッドを低減する。
【０１６６】
当該実施形態で提供するネットワーク装置によれば、端末が、ネットワーク装置により配送されたダウンリンク信号に従って第１のカバレッジ・レベルを決定し、第１のカバレッジ・レベルに従って、端末がアップリンク信号を送信するのに適しアップリンク通信を実施するときに端末により使用しうるアップリンク通信パラメータを決定してもよく、それにより端末のシグナリング・オーバヘッドが減る。
【０１６７】
図７は、本発明に従うネットワーク装置の第４の実施形態の略構造図である。上述の実施形態に基づいて、当該実施形態は、ネットワーク装置が端末により送信された第１のカバレッジ・レベルを受信し、第１のカバレッジ・レベルに従ってリソース・スケジューリングを端末に実施する具体的なプロセスを含む。さらに、ネットワーク装置がさらにプロセッサ４３を含んでもよい。受信器４２はさらに、端末により送信された第１のカバレッジ・レベルを受信するように構成される。プロセッサ４３は、受信器４２が端末により送信された第１のカバレッジ・レベルを受信した後に、第１のカバレッジ・レベルに従ってリソース・スケジューリングを端末に実施するように構成される。
【０１６８】
特に、端末の第１のカバレッジ・レベルを決定した後、端末が第１のカバレッジ・レベルをネットワーク装置に送信し、受信器４２は、第１のカバレッジ・レベルを受信し、その結果、プロセッサ４３は、第１のカバレッジ・レベルに従ってアップリンクまたはダウンリンク・リソースを計算し、正しいリソース・スケジューリングを端末に実施してもよい。任意選択で、ネットワーク装置がスケジューリング情報を端末に送信してもよい。当該スケジューリング情報がアップリンクまたはダウンリンク・リソースのサイズを含んでもよく、その結果、端末は、アップリンク通信を実施するときに使用すべき時間周波数リソースのサイズを学習する。任意選択で、端末が、第１のカバレッジ・レベルをネットワーク装置に明示的な方式で直接（メッセージ情報要素の方式で直接）送信してもよいか、または第１のカバレッジ・レベルを物理信号特性で運搬し、ネットワーク装置に暗黙の方式で送信してもよい。任意選択で、明示的な送信方式において、第１のカバレッジ・レベルを、ＲＡＣＨで送信されたチャネル要求メッセージを用いることによってネットワーク装置に送信してもよい。暗黙の送信方式においては、端末が、アップリンク送信または他の物理レイヤ処理（例えば、シンボル・ローテーション、信号循環シフト、特殊シーケンスの追加またはスクランブリングのような方式）の反復回数を用いることによって第１のカバレッジ・レベルに関する情報を運搬してもよい。
【０１６９】
本発明の当該実施形態で提供されたネットワーク装置によれば、受信器は、端末により送信された第１のカバレッジ・レベルを受信し、プロセッサが第１のカバレッジ・レベルに従ってリソース・スケジューリングを端末に実施し、その結果、ネットワーク装置による端末のアップリンクおよびダウンリンク・リソースのスケジューリングはより正確であり、リソース利用が改善される。
【０１７０】
図７を参照し続けると、上述の実施形態に基づいて、当該実施形態は、ネットワーク装置が端末へのサービス接続を確立し、サービス信号を端末に送信し、その結果、端末がタイムリに端末のカバレッジ・レベルを更新する具体的なプロセスを含む。さらに、プロセッサ４３はさらに、受信器４２が端末により送信された第１のカバレッジ・レベルを受信した後に、端末へのサービス接続を確立するように構成される。送信器４１はさらに、第１のカバレッジ・レベルに従ってサービス信号を端末に繰り返し送信して、端末が、当該繰り返し送信されたサービス信号に従って端末の第２のカバレッジ・レベルを決定するようにするように構成される。
【０１７１】
特に、上述の実施形態の何れか１つにおいて、受信器４２が端末により送信された第１のカバレッジ・レベルを受信した後にのみ、プロセッサ４３が端末とのサービス通信を確立する。
【０１７２】
送信器４１が繰り返し、受信器４２により受信された第１のカバレッジ・レベルに従って当該サービス信号を端末に送信する。当該サービス信号がダウンリンク・データ信号、ダウンリンク音声信号、ダウンリンクビデオ信号、等であってもよい。当該サービス信号の反復回数は、端末により報告された第１のカバレッジ・レベルに従ってプロセッサ４３によって決定される。当該数がｎである、即ち、端末の第１のカバレッジ・レベルは、ネットワーク装置が当該サービス信号をｎ回だけ配送した後にのみ端末が復号化に成功しうると判定すると仮定する。したがって、プロセッサ４３は、受信器４２により受信された第１のカバレッジ・レベルに従って、当該サービス信号を送信した回数がｎであると判定する。端末は当該サービス信号を復号化する。復号化が成功したとき、端末は、復号化が成功するまでに当該サービス信号を受信した回数を決定する。当該数はｍである（ｍはｎより小さい）、即ち、この場合、端末は、ネットワーク装置が当該サービス信号をｍ回だけ配送した後に当該サービス信号の復号化に成功しうると仮定する。したがって、端末は、第５の所定の関係を復号化が成功したとき当該サービス信号を受信する回数（即ち、ｍ）とマッチし、端末の第２のカバレッジ・レベルを決定して、端末の元の第１のカバレッジ・レベルを第２のカバレッジ・レベルに更新する。任意選択で、端末が第２のカバレッジ・レベルをネットワーク装置に送信してもよく、その結果、ネットワーク装置は第２のカバレッジ・レベルに従って正しいリソースを端末に割り当て、それにより冗長な送信に起因するリソース無駄を回避する。任意選択で、端末が、第２のカバレッジ・レベルに従ってタイムリに、反復回数、チャネル帯域幅、送信電力、または変調符号化方式のようなネットワーク装置でサービス通信を実施するとき使用されるアップリンク通信パラメータを調節してもよい。
【０１７３】
本発明の当該実施形態で提供されたネットワーク装置によれば、プロセッサが、受信器が端末により送信された第１のカバレッジ・レベルを受信した後、端末とのサービス通信を確立し、送信器が第１のカバレッジ・レベルに従ってサービス信号を端末に繰り返し送信し、端末が、当該繰り返し送信されたサービス信号に従って端末の第２のカバレッジ・レベルを決定するようにする。本発明の当該実施形態で提供されたネットワーク装置によれば、端末のカバレッジ・レベルはタイムリに更新され、アップリンク通信パラメータは当該更新されたカバレッジ・レベルに従って効果的にタイムリに調節され、その結果、端末はカバレッジ拡張を効果的にタイムリに調節でき、それによりカバレッジ拡張の実行効率が改善され、アップリンク通信の性能が高まる。
【０１７４】
さらに、図７に示す上述の実施形態に基づいて、当該アップリンク通信パラメータが、反復回数、チャネル帯域幅、または端末により当該アップリンク信号を送信するために使用される変調符号化方式を含むとき、受信器４２はさらに、端末により送信されたアップリンク通信パラメータを受信するように構成され、プロセッサ４３はさらに、当該アップリンク通信パラメータに従って当該アップリンク信号を復号化するように構成される。
【０１７５】
任意選択で、当該アップリンク通信パラメータが端末により当該アップリンク信号を送信するために使用される反復回数であるとき、ネットワーク装置が、当該アップリンク通信パラメータに従って、当該アップリンク信号の復号化に成功するために必要な、端末により送信されたアップリンク信号を復号化する回数を学習してもよい。これは、ネットワーク装置により実施される繰り返しの復号化を回避し、ネットワーク装置の処理オーバヘッドを低減する。
【０１７６】
任意選択で、当該アップリンク通信パラメータが当該チャネル帯域幅または端末により当該アップリンク信号を送信するために使用される変調符号化方式であるとき、ネットワーク装置は、当該アップリンク信号の復号化に使用される特定のチャネル帯域幅または特定の変調符号化方式を明確に知っているかもしれない。これはネットワーク装置により実施されるブラインド検出を回避し（即ち、ネットワーク装置が復号化に使用されるチャネル帯域幅または変調符号化方式を知らないとき、ネットワーク装置が端末により使用される全てのチャネル帯域幅または変調符号化方式を用いることによって復号化検出を実施する、即ち、ブラインド検出を端末に実施する）、ネットワーク装置の処理オーバヘッドを低減し、ネットワーク装置の復号化複雑度を削減する。
【０１７７】
本発明の当該実施形態で提供されたネットワーク装置によれば、受信器は、反復回数、チャネル帯域幅、または端末によりアップリンク信号を送信するために使用される変調符号化方式を受信する。その結果プロセッサが、反復回数、チャネル帯域幅、または端末により当該アップリンク信号を送信するために使用される変調符号化方式に従って当該アップリンク信号を正確に復号化でき、それによりネットワーク装置が復号化を実施するとき処理オーバヘッドおよび複雑度を低減する。
【０１７８】
図８は、本発明に従う無線ネットワーク・カバレッジ拡張システムの１実施形態の略構造図である。図８に示すように、当該システムは、上述の実施形態で示した端末５１および上述の実施形態で示したネットワーク装置５２を備える。当該システム、端末、およびネットワーク装置の実装原理および技術的効果は同様であり、詳細についてはここでは再度説明しない。
【０１７９】
図９は、本発明に従う無線ネットワーク・カバレッジ拡張方法の第１の実施形態の略流れ図である。図９に示すように、当該方法は以下のステップを含む
【０１８０】
Ｓ１０１：端末が、ネットワーク装置により送信されたダウンリンク信号を受信する。
【０１８１】
Ｓ１０２：端末が、当該ダウンリンク信号に従って端末の第１のカバレッジ・レベルを決定する。
【０１８２】
Ｓ１０３：端末が、第１のカバレッジ・レベルに従ってアップリンク通信パラメータを決定する。
【０１８３】
Ｓ１０４：端末が当該アップリンク通信パラメータに従ってアップリンク信号をネットワーク装置に送信する。
【０１８４】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１８５】
さらに、当該アップリンク通信パラメータは、反復回数、チャネル帯域幅、送信電力、または当該アップリンク信号を送信するために使用される変調符号化方式のうち少なくとも１つを含む。
【０１８６】
当該ダウンリンク信号は、ダウンリンク同期チャネルＳＣＨで送信された第１の信号、共通転送チャネルＣＣＨで使用される第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【０１８７】
任意選択で、当該ダウンリンク信号が第１の信号、第２の信号、または第３の信号の何れか１つであるとき、Ｓ１０２が特に、当該ダウンリンク信号の復号化に成功したとき、端末により、第１の所定の関係および当該ダウンリンク信号を受信した回数に従って端末の第１のカバレッジ・レベルを決定するステップであって、第１の所定の関係は、第１のカバレッジ・レベルと端末が当該ダウンリンク信号の復号化に成功したときの当該ダウンリンク信号を受信した回数との間のマッピング関係を含む、ステップであってもよい。
【０１８８】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１８９】
任意選択で、当該ダウンリンク信号がダウンリンク同期に使用される繰り返し送信されたシーケンス信号であるとき、Ｓ１０２が特に、当該ダウンリンク信号を受信した時点に端末により、エネルギ蓄積を全ての受信されたダウンリンク信号に実施するステップと、端末により、エネルギ蓄積の後に取得された信号を当該ダウンリンク信号の所定の基準信号に相関付けて、当該ダウンリンク信号の相関値を取得するステップと、当該ダウンリンク信号の相関値が所定の閾値を超過したとき、端末により、第２の所定の関係および当該ダウンリンク信号を受信した回数に従って端末の第１のカバレッジ・レベルを決定するステップであって、第２の所定の関係は、第１のカバレッジ・レベルと当該ダウンリンク信号の相関値が当該所定の閾値を超過したときの端末により当該ダウンリンク信号を受信した回数との間のマッピング関係を含む、ステップとであってもよい。
【０１９０】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１９１】
任意選択で、当該ダウンリンク信号が当該ＢＣＣＨキャリアで送信された信号であるとき、Ｓ１０２が特に、端末により、所定の期間に受信したダウンリンク信号の受信信号強度を測定するステップと、端末により、当該所定の期間に測定された当該ダウンリンク信号の受信信号強度に従って第１の受信信号強度を決定するステップと、端末により、第１の受信信号強度および第３の所定の関係に従って端末の第１のカバレッジ・レベルを決定するステップであって、第３の所定の関係は、第１の受信信号強度と第１のカバレッジ・レベルの間のマッピング関係を含む、ステップとであってもよい。
【０１９２】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１９３】
任意選択で、当該ダウンリンク信号がセル・チャネル測定に使用される基準信号であるとき、Ｓ１０２が特に、端末により、所定の期間に受信されたダウンリンク信号に従って、端末とネットワーク装置の間の経路損失を測定するステップと、端末により、当該所定の期間に測定された全ての経路損失に従って端末とネットワーク装置の間の第１の経路損失を決定するステップと、端末により、第１の経路損失および第４の所定の関係に従って端末の第１のカバレッジ・レベルを決定するステップであって、第４の所定の関係は、第１の経路損失と第１のカバレッジ・レベルとの間のマッピング関係を含む、ステップとであってもよい。
【０１９４】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１９５】
図１０は、本発明に従う無線ネットワーク・カバレッジ拡張方法の第２の実施形態の略流れ図である。当該実施形態は、端末により送信された第１のカバレッジ・レベルに従ってネットワーク装置がリソース・スケジューリングを端末に実施するプロセスを含む。上述の実施形態に基づいて、さらに、Ｓ１０２の後、上述の方法はさらに、以下のステップを含む。
【０１９６】
Ｓ２０１：端末が第１のカバレッジ・レベルをネットワーク装置に送信する。
【０１９７】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０１９８】
図１１は、本発明に従う無線ネットワーク・カバレッジ拡張方法の第３の実施形態の略流れ図である。当該実施形態は、ネットワーク装置でサービス通信を実施するとき、端末がネットワーク装置により配送されたサービス信号に従って端末のカバレッジ・レベルを更新する具体的なプロセスを含む。図１１に示すように、Ｓ２０１の後、当該方法がさらに以下のステップを含んでもよい。
【０１９９】
Ｓ３０１：端末がネットワーク装置に対するサービス接続を確立する。
【０２００】
Ｓ３０２：端末が、ネットワーク装置により繰り返し送信されたサービス信号を受信する。当該サービス信号の反復回数は、端末の第１のカバレッジ・レベルに従ってネットワーク装置によって決定される。
【０２０１】
Ｓ３０３：端末が、第５の所定の関係および当該サービス信号の復号化に成功したときに当該サービス信号を受信した回数に従って、端末の第２のカバレッジ・レベルを決定する。第５の所定の関係は、第２のカバレッジ・レベルと端末が当該サービス信号の復号化に成功したときの当該サービス信号を受信した回数との間のマッピング関係を含む。
【０２０２】
本発明の当該実施形態で提供された無線ネットワーク・カバレッジ拡張方法については、端末の上述の実施形態の実行プロセスを参照してもよい。当該方法および端末の実装原理および技術的効果は同様であり、詳細についてはここでは再度説明しない。
【０２０３】
図１２は、本発明に従う無線ネットワーク・カバレッジ拡張方法の第４の実施形態の略流れ図である。図１２に示すように、当該方法は以下のステップを含む。
【０２０４】
Ｓ４０１：ネットワーク装置がダウンリンク信号を端末に送信する。
【０２０５】
Ｓ４０２：ネットワーク装置は、アップリンク通信パラメータに従って端末により送信されたアップリンク信号を受信する。当該アップリンク通信パラメータは、第１のカバレッジ・レベルに従って端末によって決定され、第１のカバレッジ・レベルは、当該ダウンリンク信号に従って端末によって決定される。
【０２０６】
本発明の当該実施形態で提供された無線ネットワーク・カバレッジ拡張方法については、ネットワーク装置の上述の実施形態の実行プロセスを参照してもよい。当該方法およびネットワーク装置の実装原理および技術的効果は同様であり、詳細についてはここでは再度説明しない。
【０２０７】
さらに、当該アップリンク通信パラメータは、反復回数、チャネル帯域幅、送信電力、または当該アップリンク信号を送信するために使用される変調符号化方式のうち少なくとも１つを含む。
【０２０８】
当該ダウンリンク信号は、ダウンリンク同期チャネルＳＣＨで送信された第１の信号、共通転送チャネルＣＣＨで使用される第２の信号、ブロードキャスト制御チャネルＢＣＣＨで送信された第３の信号、ダウンリンク同期に使用される繰り返し送信されたシーケンス信号、セル・チャネル測定に使用される基準信号、またはＢＣＣＨキャリアで送信された信号のうち少なくとも１つを含む。
【０２０９】
図１３は、本発明に従う無線ネットワーク・カバレッジ拡張方法の第５の実施形態の略流れ図である。当該実施形態は、端末により送信された第１のカバレッジ・レベルに従ってネットワーク装置がリソース・スケジューリングを端末に実施するプロセスを含む。上述の実施形態に基づいて、さらに、図１３に示すように、Ｓ４０１の後、上述の方法はさらに、以下のステップを含む
【０２１０】
Ｓ５０１：ネットワーク装置は、端末により送信された第１のカバレッジ・レベルを受信する。第１のカバレッジ・レベルは、当該ダウンリンク信号に従って端末によって決定される。
【０２１１】
本発明の当該実施形態で提供された無線ネットワーク・カバレッジ拡張方法については、ネットワーク装置の上述の実施形態の実行プロセスを参照してもよい。当該方法およびネットワーク装置の実装原理および技術的効果は同様であり、詳細についてはここでは再度説明しない。
【０２１２】
図１４は、本発明に従う無線ネットワーク・カバレッジ拡張方法の第６の実施形態の略流れ図である。当該実施形態は、ネットワーク装置が端末へのサービス接続を確立し、サービス信号を端末に繰り返し送信し、その結果、端末が当該送信されたサービス信号に従って端末のカバレッジ・レベルをタイムリに更新する具体的なプロセスを含む。図１３の上述の実施形態に基づいて、さらに、図１４に示すように、Ｓ５０１の後、上述の方法はさらに以下のステップを含む。
【０２１３】
Ｓ６０１：ネットワーク装置が端末へのサービス接続を確立し、第１のカバレッジ・レベルに従ってサービス信号を端末に繰り返し送信し、端末が、当該繰り返し送信されたサービス信号に従って端末の第２のカバレッジ・レベルを決定するようにするか、または、第１のカバレッジ・レベルに従ってネットワーク装置がリソース・スケジューリングを端末に実施する。
【０２１４】
本発明の当該実施形態で提供された無線ネットワーク・カバレッジ拡張方法については、ネットワーク装置の上述の実施形態の実行プロセスを参照してもよい。当該方法およびネットワーク装置の実装原理および技術的効果は同様であり、詳細についてはここでは再度説明しない。
【０２１５】
図１５は、本発明に従う無線ネットワーク・カバレッジ拡張方法の第７の実施形態の略流れ図である。当該実施形態は、ネットワーク装置が、端末により送信されたアップリンク通信パラメータに従って当該アップリンク信号を復号化するプロセスを含む。Ｓ４０１の後、図１５に示すように、上述の方法はさらに、以下のステップを含む。
【０２１６】
Ｓ７０１：ネットワーク装置は、端末により送信されたアップリンク通信パラメータを受信し、当該アップリンク通信パラメータに従って当該アップリンク信号を復号化する。当該アップリンク通信パラメータは、第１のカバレッジ・レベルに従って端末によって決定される。
【０２１７】
本発明の当該実施形態で提供された無線ネットワーク・カバレッジ拡張方法については、ネットワーク装置の上述の実施形態の実行プロセスを参照してもよい。当該方法およびネットワーク装置の実装原理および技術的効果は同様であり、詳細についてはここでは再度説明しない。
【０２１８】
当業者が、方法の実施形態のステップの全部または一部を、関連ハードウェアに指示するプログラムにより実装してもよいことは理解されうる。当該プログラムをコンピュータ可読記憶媒体に格納してもよい。当該プログラムを実行したとき、当該方法の実施形態のステップが実施される。上述の記憶媒体は、ＲＯＭ、ＲＡＭ、磁気ディスク、または光ディスクのような、プログラム・コードを格納できる任意の媒体を含む。
【０２１９】
最後に、上述の実施形態は本発明の技術的解決策を説明するためのものにすぎず、本発明を限定するためのものではないことに留意すべきである。上述の実施形態を参照して本発明を説明したが、当業者は、本発明の当該実施形態の技術的解決策の範囲から逸脱することなく、上述の実施形態で説明した技術的解決策に依然として修正を加えてもよく、または、その一部または全部の技術的特徴に均等な置換えを行ってもよいことを理解すべきである
【符号の説明】
【０２２０】
１０  受信ユニット
１１  処理ユニット
１２  送信ユニット
２１  送信ユニット
２２  受信ユニット
２３  処理ユニット
３０  受信器
３１  プロセッサ
３２  送信器
４１  送信器
４２  受信器
４３  プロセッサ
５１  端末
５２  ネットワーク装置
【図１】
0006508662.tif 000006
【図２】
0006508662.tif 000007
【図３】
0006508662.tif 000008
【図４】
0006508662.tif 000009
【図５】
0006508662.tif 000010
【図６】
0006508662.tif 000011
【図７】
0006508662.tif 000012
【図８】
0006508662.tif 000013
【図９】
0006508662.tif 000014
【図１０】
0006508662.tif 000015
【図１１】
0006508662.tif 000016
【図１２】
0006508662.tif 000017
【図１３】
0006508662.tif 000018
【図１４】
0006508662.tif 000019
【図１５】
0006508662.tif 000020